(57)【要約】  アクティブミリ波セキュリティ検査結像に用いられる多重送受信アレイアレンジメント（１００，２００）、人体セキュリティ検査装置及び人体セキュリティ検査方法を提供している。多重送受信アレイアレンジメント（１００，２００）は、ミリ波を送信するための一群の送信アンテナ（ｔ）と、人体に反射されるミリ波を受信するための一群の受信アンテナ（ｒ）とを備える。送信アンテナ（ｔ）は１行目に沿って配列され、受信アンテナ（ｒ）は２行目に沿って配列され、１行目と２行目とは平行であるとともに間隔を空ける。２つの隣り合う送信アンテナ（ｔ）の間には、２つ以上の受信アンテナ（ｒ）が対応して配置される。当該アレンジメントはデータ採取速度とアンテナユニット利用率を向上させるとともに、ハードウェアの複雑さを低減して工事実用性を向上させることができる。
2021527832.tif 000002
【特許請求の範囲】
【請求項１】
ミリ波を送信するための一群の送信アンテナと、前記一群の送信アンテナに送信され人体に反射されるミリ波を受信するための一群の受信アンテナとを備えるアクティブミリ波セキュリティ検査結像に用いられるスパース多重送受信アレイアレンジメントであって、
前記一群の送信アンテナは１行目に沿って配列される複数の送信アンテナを含み、前記一群の受信アンテナは２行目に沿って配列される複数の受信アンテナを含み、前記一群の送信アンテナの１行目の複数の送信アンテナは、前記一群の受信アンテナの２行目の複数の受信アンテナに平行して配列され、１行目の前記一群の送信アンテナと２行目の前記一群の受信アンテナとは間隔を空けて同一の平面に位置し、
送信アンテナの数が受信アンテナの数よりも少なくなるように、２行目における１行目に沿って配列される２つの隣り合う送信アンテナの間の間隔長さに対応する同じ長さ範囲において、少なくとも１つの受信アンテナが配置される、
スパース多重送受信アレイアレンジメント。
【請求項２】
少なくとも１つの送信アンテナが少なくとも１つの受信アンテナに整列することにより両者の間の接続線が前記一群の送信アンテナ又は前記一群の受信アンテナの行の方向に垂直であるようにし、或いは、
いずれか１つの送信アンテナといずれか１つの受信アンテナとの接続線が前記一群の送信アンテナ又は前記一群の受信アンテナの行の方向に垂直ではない、
請求項１に記載のスパース多重送受信アレイアレンジメント。
【請求項３】
前記複数の送信アンテナは放射波の波長の整数倍の距離で間隔を空け、
前記複数の受信アンテナは放射波の波長の１倍の距離で間隔を空ける、
請求項１に記載のスパース多重送受信アレイアレンジメント。
【請求項４】
複数の送信アンテナは放射波の波長の２倍、３倍、４倍又は５倍の距離で間隔を空ける、
請求項４に記載のスパース多重送受信アレイアレンジメント。
【請求項５】
前記一群の送信アンテナのうちの１つの送信アンテナと、前記一群の受信アンテナのうちの最も近い対応の複数の受信アンテナのうちの１つとの接続線の中点は、当該一対の送信アンテナ−受信アンテナの仮想の等価位相中心とみなされ、
隣り合う等価位相中心の間の距離は放射波の波長の０．３〜０．７倍である、
請求項１に記載のスパース多重送受信アレイアレンジメント。
【請求項６】
隣り合う等価位相中心の間の距離は放射波の波長の半分である、
請求項５に記載のスパース多重送受信アレイアレンジメント。
【請求項７】
１行目の前記一群の送信アンテナと２行目の前記一群の受信アンテナとの間隔距離は結像距離の１０％よりも小さい、
請求項１に記載のスパース多重送受信アレイアレンジメント。
【請求項８】
１行目の前記一群の送信アンテナのうちの１番目の送信アンテナと２行目の前記一群の受信アンテナのうちの１番目の受信アンテナとは位置をずらして配置される、
請求項１に記載のスパース多重送受信アレイアレンジメント。
【請求項９】
前記一群の送信アンテナが順次にミリ波を送信するように制御するための制御スイッチをさらに備える、
請求項１に記載のスパース多重送受信アレイアレンジメント。
【請求項１０】
前記一群の送信アンテナは１行目に配列される複数の送信アンテナに沿って順次に放射波を送信して一群の送信アンテナの一次元走査を完成できるとともに、前記一群の送信アンテナの行の方向に直交する方向に沿って変位して人体の二次元走査を完成でき、さらにフーリエ変換に基づく合成開口ホログラフィアルゴリズムによって結像を完成できるように配置される、
請求項５に記載のスパース多重送受信アレイアレンジメント。
【請求項１１】
フーリエ変換に基づく合成開口ホログラフィアルゴリズムによって正確な結像領域に対して画像再構成を一回で完成するように配置され、結像公式は、
【数１】
2021527832.tif 000018
であり、
ただし、
σ（ｘ，ｙ）は人体の散乱係数であり、Ｒ０は結像距離であり、ＦＴ２Ｄは二次元フーリエ変換であり、
【数２】
2021527832.tif 000019
は二次元逆フーリエ変換であり、ｊは虚数単位であり、ｋは伝搬定数であり、ｋｘ、ｋｙはそれぞれ空間伝搬定数であり、
【数３】
2021527832.tif 000020
は一対の送信アンテナ−受信アンテナのセットが受信した人体のエコー信号であり、Ｋωは周波数ステッピング信号の空間周波数であり、ターゲット領域内の１つのポイントターゲットについて、ＩはＩ（ｘｎ，ｙｎ）に位置する散乱されるポイントターゲットを表し、Ｉと送信アンテナＡｔとの距離をＲｔ，ｎと定義し、Ｉと受信アンテナＡｒとの距離をＲｒ，ｎと定義する、
請求項１０に記載のスパース多重送受信アレイアレンジメント。
【請求項１２】
ミリ波を送信するための一群の送信アンテナと、前記一群の送信アンテナに送信され人体に反射されるミリ波を受信するための一群の受信アンテナとを備えるアクティブミリ波セキュリティ検査結像に用いられるスパース多重送受信アレイアレンジメントであって、
前記一群の送信アンテナは１行目に沿って配列される複数の送信アンテナを含み、前記一群の受信アンテナは２行目に沿って配列される複数の受信アンテナを含み、前記一群の送信アンテナの１行目の複数の送信アンテナは、前記一群の受信アンテナの２行目の複数の受信アンテナに平行して配列され、１行目の前記一群の送信アンテナと２行目の前記一群の受信アンテナとは間隔を空けて同一の平面に位置し、
１行目に沿って配列される２つの隣り合う送信アンテナの間の間隔距離が放射波の波長の１倍以上であり、２行目に沿って配列される複数の受信アンテナの間の間隔距離が放射波の波長の１倍以上であることにより、対をなすように配置される送信アンテナと受信アンテナのセットの間に放射波の波長の１倍の距離で間隔を空ける場合に比べ、送信アンテナと受信アンテナの総数は減少し、
前記スパース多重送受信アレイアレンジメントは、隣り合う２つのセグメントの間になす角を形成する複数のセグメントを備え、
前記一群の送信アンテナと前記一群の受信アンテナのそれぞれは、前記複数のセグメントにそれぞれ配置される部分を含む、
スパース多重送受信アレイアレンジメント。
【請求項１３】
第１の鉛直平面内に配置される第１のセグメントと、第２の鉛直平面内に配置される第２のセグメントと、を備え、
第１の鉛直平面と第２の鉛直平面とのなす角θ１２が０ではなく、
前記一群の送信アンテナと前記一群の受信アンテナのそれぞれは、第１のセグメントに配置される部分と、第２のセグメントに配置される部分と、を含む、
請求項１２に記載のスパース多重送受信アレイアレンジメント。
【請求項１４】
第３の鉛直平面内に配置される第３のセグメントをさらに備え、
前記第３の鉛直平面と第１の鉛直平面、第２の鉛直平面とのなす角がそれぞれθ１３とθ２３であるとともに０ではなく、
前記一群の送信アンテナと前記一群の受信アンテナのそれぞれは第３のセグメントに配置される部分を含む、
請求項１３に記載のスパース多重送受信アレイアレンジメント。
【請求項１５】
少なくとも１つの送信アンテナが少なくとも１つの受信アンテナに整列することにより両者の間の接続線が前記一群の送信アンテナ又は前記一群の受信アンテナの行の方向に垂直であるようにし、或いは、
いずれか１つの送信アンテナといずれか１つの受信アンテナとの接続線が前記一群の送信アンテナ又は前記一群の受信アンテナの行の方向に垂直ではなく、或いは、
前記一群の送信アンテナのうちの１番目の送信アンテナと前記一群の受信アンテナのうちの１番目の受信アンテナとの間の接続線が前記一群の送信アンテナ又は前記一群の受信アンテナの行の方向に垂直である、
請求項１２に記載のスパース多重送受信アレイアレンジメント。
【請求項１６】
前記一群の送信アンテナのうちの１番目の送信アンテナと前記一群の受信アンテナのうちの１番目の受信アンテナとの間の接続線は前記一群の送信アンテナ又は前記一群の受信アンテナの行の方向に垂直ではない、
請求項１２に記載のスパース多重送受信アレイアレンジメント。
【請求項１７】
前記一群の送信アンテナのうちの１つの送信アンテナと、前記一群の受信アンテナのうちの最も近い対応の複数の受信アンテナのうちの１つとの接続線の中点は、当該一対の送信アンテナ−受信アンテナの仮想の等価位相中心とみなされ、
隣り合う等価位相中心の間の距離は放射波の波長の０．３〜０．７倍である、
請求項１２に記載のスパース多重送受信アレイアレンジメント。
【請求項１８】
隣り合う等価位相中心の間の距離は放射波の波長の半分である、
請求項１７に記載のスパース多重送受信アレイアレンジメント。
【請求項１９】
２行目における１行目に沿って配列される２つの隣り合う送信アンテナの間の間隔範囲に対応する範囲において、少なくとも１つの受信アンテナが配置される、
請求項１７に記載のスパース多重送受信アレイアレンジメント。
【請求項２０】
前記複数の送信アンテナは放射波の波長の２以上の整数倍の距離で間隔を空け、
前記複数の受信アンテナは放射波の波長の１倍の距離で間隔を空ける、
請求項１８に記載のスパース多重送受信アレイアレンジメント。
【請求項２１】
複数の送信アンテナは放射波の波長の２倍、３倍、４倍、５倍又は６倍の距離で間隔を空ける、
請求項１９に記載のスパース多重送受信アレイアレンジメント。
【請求項２２】
前記複数の送信アンテナは複数の送信アンテナ群に分けられ、
同一の送信アンテナ群内の送信アンテナの間に放射波の波長の１倍又は複数倍の距離で間隔を空け、
隣り合う送信アンテナ群の間の間隔距離は放射波の波長の２以上の整数倍である、
請求項１７に記載のスパース多重送受信アレイアレンジメント。
【請求項２３】
前記複数の送信アンテナの間の間隔距離は放射波の波長の１倍よりも大きく、
前記複数の受信アンテナは放射波の波長の１倍よりも大きい距離で間隔を空け、
前記複数の送信アンテナの総数と前記複数の受信アンテナの総数とは異なり、かつ互いに素である、
請求項１７に記載のスパース多重送受信アレイアレンジメント。
【請求項２４】
隣り合う送信アンテナとそれぞれの対応する受信アンテナとによって特定される複数の等価位相中心は重ならず、
送信アンテナ−受信アンテナ対の複数の等価位相中心が順次に一列に配列され、或いは、複数対の隣り合う送信アンテナ−受信アンテナ対の複数の等価位相中心の少なくとも一部が一列に交互に配列される、
請求項１７に記載のスパース多重送受信アレイアレンジメント。
【請求項２５】
１行目の前記一群の送信アンテナと２行目の前記一群の受信アンテナとの間隔距離は結像距離の１０％よりも小さい、
請求項１２に記載のスパース多重送受信アレイアレンジメント。
【請求項２６】
前記一群の送信アンテナが順次にミリ波を送信するように制御するための制御スイッチをさらに備える、
請求項１２に記載のスパース多重送受信アレイアレンジメント。
【請求項２７】
１行目の前記一群の送信アンテナのうちの１番目の送信アンテナと２行目の前記一群の受信アンテナのうちの１番目の受信アンテナとは位置をずらして配置される、
請求項１２に記載のスパース多重送受信アレイアレンジメント。
【請求項２８】
前記一群の送信アンテナは１行目に配列される複数の送信アンテナに沿って順次に放射波を送信して一群の送信アンテナの走査を完成でき、多重送受信アレイアレンジメントは前記一群の送信アンテナの行の方向に直交する方向に沿って変位して人体の二次元走査を次第に完成でき、さらにフーリエ変換に基づく合成開口ホログラフィアルゴリズムによって結像を完成できるように配置される、
請求項１７に記載のスパース多重送受信アレイアレンジメント。
【請求項２９】
フーリエ変換に基づく合成開口ホログラフィアルゴリズムによって正確な結像領域に対して画像再構成を一回で完成するように配置され、結像公式は、
【数４】
2021527832.tif 000021
であり、
ただし、
σ（ｘ，ｙ）は人体の散乱係数であり、Ｒ０は結像距離であり、ＦＴ２Ｄは二次元フーリエ変換であり、
【数５】
2021527832.tif 000022
は二次元逆フーリエ変換であり、ｊは虚数単位であり、ｋは伝搬定数であり、ｋｘ、ｋｙはそれぞれ空間伝搬定数であり、
【数６】
2021527832.tif 000023
は一対の送信アンテナ−受信アンテナのセットが受信した人体のエコー信号であり、Ｋωは周波数ステッピング信号の空間周波数であり、ターゲット領域内の１つのポイントターゲットについて、ＩはＩ（ｘｎ，ｙｎ）に位置する散乱されるポイントターゲットを表し、Ｉと送信アンテナＡｔとの距離をＲｔ，ｎと定義し、Ｉと受信アンテナＡｒとの距離をＲｒ，ｎと定義する、
請求項２８に記載のスパース多重送受信アレイアレンジメント。
【請求項３０】
ミリ波を送信するための平行に配列される複数行の送信アンテナと、人体に反射されるミリ波を受信するための平行に配列される複数行の受信アンテナとを備えるアクティブミリ波セキュリティ検査結像に用いられるスパース多重送受信アレイアレンジメントであって、
各行の送信アンテナは複数の送信アンテナを含み、
各行の受信アンテナは複数の受信アンテナを含み、
前記複数行の送信アンテナと前記複数行の受信アンテナとは平行であり、
前記複数行の送信アンテナと前記複数行の受信アンテナとは互いに間隔を空け、
複数行の送信アンテナのうちの１行の送信アンテナと複数行の受信アンテナのうちの１行の受信アンテナとは請求項１又は１２に記載のスパース多重送受信アレイアレンジメントを構成する、
スパース多重送受信アレイアレンジメント。
【請求項３１】
ミリ波を送信するための一群の送信アンテナと、前記一群の送信アンテナに送信され人体に反射されるミリ波を受信するための一群の受信アンテナとを備えるアクティブミリ波セキュリティ検査結像に用いられるスパース多重送受信アレイアレンジメントであって、
前記一群の送信アンテナは、アーク状面内において第１のアークに沿って配列される複数の送信アンテナを含み、
前記一群の受信アンテナは、アーク状面内において第２のアークに沿って配列される複数の受信アンテナを含み、
前記一群の送信アンテナのうちの第１のアークに沿って配列される複数の送信アンテナは前記一群の受信アンテナのうちの第２のアークに沿って配列される複数の受信アンテナに平行して配列され、
第１のアークに沿って配列される前記一群の送信アンテナと第２のアークに沿って配列される前記一群の受信アンテナとは間隔を空けて同一の平面に位置し、
第２のアークにおける第１のアークに沿って配列される２つの隣り合う送信アンテナの間の間隔のアーク長に対応する同じアーク長範囲において、少なくとも１つの受信アンテナが配置される、
スパース多重送受信アレイアレンジメント。
【請求項３２】
少なくとも１つの送信アンテナが少なくとも１つの受信アンテナに整列することにより両者の間の接続線が前記一群の送信アンテナの第１のアーク又は前記一群の受信アンテナの第２のアークに垂直であるようにし、或いは、
いずれか１つの送信アンテナといずれか１つの受信アンテナとの接続線が前記一群の送信アンテナの第１のアーク又は前記一群の受信アンテナの第２のアークに垂直ではない、
請求項３１に記載のスパース多重送受信アレイアレンジメント。
【請求項３３】
前記一群の送信アンテナのうちの１番目の送信アンテナと前記一群の受信アンテナのうちの１番目の受信アンテナとの間の接続線が前記一群の送信アンテナの第１のアーク又は前記一群の受信アンテナの第２のアークに垂直であり、或いは、
前記一群の送信アンテナのうちの１番目の送信アンテナと前記一群の受信アンテナのうちの１番目の受信アンテナとの間の接続線が前記一群の送信アンテナの第１のアーク又は前記一群の受信アンテナの第２のアークに垂直ではない、
請求項３１に記載のスパース多重送受信アレイアレンジメント。
【請求項３４】
前記一群の送信アンテナのうちの１つの送信アンテナと、前記一群の受信アンテナのうちの最も近い対応の複数の受信アンテナのうちの１つとの接続線の中点は、当該一対の送信アンテナ−受信アンテナの仮想の等価位相中心とみなされ、
隣り合う等価位相中心の間の距離は放射波の波長の０．３〜０．７倍である、
請求項３１に記載のスパース多重送受信アレイアレンジメント。
【請求項３５】
隣り合う等価位相中心の間の距離は放射波の波長の半分である、
請求項３４に記載のスパース多重送受信アレイアレンジメント。
【請求項３６】
第２のアークにおける第１のアークに沿って配列される２つの隣り合う送信アンテナの間の間隔範囲に対応する範囲において、少なくとも１つの受信アンテナが配置される、
請求項３４に記載のスパース多重送受信アレイアレンジメント。
【請求項３７】
前記複数の送信アンテナは放射波の波長の２以上の整数倍の距離で間隔を空け、
前記複数の受信アンテナは放射波の波長の１倍の距離で間隔を空ける、
請求項３６に記載のスパース多重送受信アレイアレンジメント。
【請求項３８】
複数の送信アンテナは放射波の波長の２倍、３倍、４倍、５倍又は６倍の距離で間隔を空ける、
請求項３６に記載のスパース多重送受信アレイアレンジメント。
【請求項３９】
前記複数の送信アンテナは複数の送信アンテナ群に分けられ、
同一の送信アンテナ群内の送信アンテナの間に放射波の波長の１倍又は複数倍の距離で間隔を空け、
隣り合う送信アンテナ群の間の間隔距離は放射波の波長の２以上の整数倍である、
請求項３４に記載のスパース多重送受信アレイアレンジメント。
【請求項４０】
前記複数の送信アンテナの間の間隔距離は放射波の波長の１倍よりも大きく、
前記複数の受信アンテナは放射波の波長の１倍よりも大きい距離で間隔を空け、
前記複数の送信アンテナの総数と前記複数の受信アンテナの総数とは異なり、かつ互いに素である、
請求項３４に記載のスパース多重送受信アレイアレンジメント。
【請求項４１】
隣り合う送信アンテナとそれぞれの対応する受信アンテナとによって特定される複数の等価位相中心は重ならず、
送信アンテナ−受信アンテナ対の複数の等価位相中心が順次に一列に配列され、或いは、複数対の隣り合う送信アンテナ−受信アンテナ対の複数の等価位相中心の少なくとも一部が一列に交互に配列される、
請求項３４に記載のスパース多重送受信アレイアレンジメント。
【請求項４２】
第１のアークにおける前記一群の送信アンテナと第２のアークにおける前記一群の受信アンテナとの間隔距離は結像距離の１０％よりも小さい、
請求項３１に記載のスパース多重送受信アレイアレンジメント。
【請求項４３】
前記一群の送信アンテナが順次にミリ波を送信するように制御するための制御スイッチをさらに備える、
請求項３１に記載のスパース多重送受信アレイアレンジメント。
【請求項４４】
第１のアークにおける前記一群の送信アンテナのうちの１番目の送信アンテナと第２のアークにおける前記一群の受信アンテナのうちの１番目の受信アンテナとは位置をずらして配置される、
請求項３１に記載のスパース多重送受信アレイアレンジメント。
【請求項４５】
前記一群の送信アンテナは第１のアークに配列される複数の送信アンテナに沿って順次に放射波を送信して一群の送信アンテナの走査を完成でき、多重送受信アレイアレンジメントは前記一群の送信アンテナの第１のアークの方向に直交する方向に沿って変位して人体の二次元走査を次第に完成でき、さらにフーリエ変換に基づく合成開口ホログラフィアルゴリズムによって結像を完成できるように配置される、
請求項３４に記載のスパース多重送受信アレイアレンジメント。
【請求項４６】
フーリエ変換に基づく合成開口ホログラフィアルゴリズムによって正確な結像領域に対して画像再構成を一回で完成するように配置され、結像公式は、
【数７】
2021527832.tif 000024
であり、
ただし、
σ（ｘ，ｙ）は人体の散乱係数であり、Ｒ０は結像距離であり、ＦＴ２Ｄは二次元フーリエ変換であり、
【数８】
2021527832.tif 000025
は二次元逆フーリエ変換であり、ｊは虚数単位であり、ｋは伝搬定数であり、ｋｘ、ｋｙはそれぞれ空間伝搬定数であり、
【数９】
2021527832.tif 000026
は一対の送信アンテナ−受信アンテナのセットが受信した人体のエコー信号であり、Ｋωは周波数ステッピング信号の空間周波数であり、ターゲット領域内の１つのポイントターゲットについて、ＩはＩ（ｘｎ，ｙｎ）に位置する散乱されるポイントターゲットを表し、Ｉと送信アンテナＡｔとの距離をＲｔ，ｎと定義し、Ｉと受信アンテナＡｒとの距離をＲｒ，ｎと定義する、
請求項４５に記載のスパース多重送受信アレイアレンジメント。
【請求項４７】
アーク面内に配置されてミリ波を送信するための平行に配列されかつアーク線に沿って配列される複数行の送信アンテナと、人体に反射されるミリ波を受信するための平行に配列されかつアーク線に沿って配列される複数行の受信アンテナとを備えるアクティブミリ波セキュリティ検査結像に用いられるスパース多重送受信アレイアレンジメントであって、
各アークにおける送信アンテナは複数の送信アンテナを含み、
各アークにおける受信アンテナは複数の受信アンテナを含み、
前記アーク線に沿って配列される複数行の送信アンテナは前記アーク線に沿って配列される複数行の受信アンテナに平行であり、
前記アーク線に沿って配列される複数行の送信アンテナと前記アーク線に沿って配列される複数行の受信アンテナとは互いに間隔を空け、
アーク線に沿って配列される複数行の送信アンテナのうちの１行の送信アンテナとアーク線に沿って配列される複数行の受信アンテナのうちの１行の受信アンテナとは、請求項３１に記載のスパース多重送受信アレイアレンジメントを構成する、
スパース多重送受信アレイアレンジメント。
【請求項４８】
請求項１〜２９、３１〜４６の何れか一項に記載のスパース多重送受信アレイアレンジメント、或いは請求項３０又は４７に記載のスパース多重送受信アレイアレンジメントを一つ又は複数備える、
人体セキュリティ検査装置。
【請求項４９】
一つ又は複数の請求項１〜２９、３１〜４６の何れか一項に記載のスパース多重送受信アレイアレンジメント、或いは請求項３０又は４７に記載のスパース多重送受信アレイアレンジメントは、第１のスパース多重送受信アレイアレンジメントと、第２のスパース多重送受信アレイアレンジメントとを含み、
第１のスパース多重送受信アレイアレンジメントと第２のスパース多重送受信アレイアレンジメントとは、両者の間に人体セキュリティ検査を実施するための検査空間を区画するように対向して配置され、
第１のスパース多重送受信アレイアレンジメントと第２のスパース多重送受信アレイアレンジメントは、走査を実施するために、鉛直平面内において上下方向に沿って平行移動できるように配置される、
請求項４８に記載の人体セキュリティ検査装置。
【請求項５０】
第１のスパース多重送受信アレイアレンジメントが上下移動可能に配置される第１のフレームと、第２のスパース多重送受信アレイアレンジメントが上下移動可能に配置される第２のフレームとをさらに備え、
第１のフレームには第１のガイドレール装置が設けられ、
第１のスパース多重送受信アレイアレンジメントは、前記第１のガイドレール装置にスライド移動可能に接続され、前記第１のガイドレール装置に沿って移動して人体に対して第１の走査を行うことが可能となり、
第２のフレームには第２のガイドレール装置が設けられ、
前記第２のスパース多重送受信アレイアレンジメントは、前記第２のガイドレール装置にスライド移動可能に接続され、前記第２のガイドレール装置に沿って移動して人体に対して第２の走査を行うことが可能となる、
請求項４９に記載の人体セキュリティ検査装置。
【請求項５１】
前記第１のスパース多重送受信アレイアレンジメントが前記第１のガイドレール装置に沿って移動するように駆動し、及び/又は前記第２のスパース多重送受信アレイアレンジメントが前記第２のガイドレール装置に沿って移動するように駆動するための駆動装置と、
前記第１のスパース多重送受信アレイアレンジメントと前記第２のスパース多重送受信アレイアレンジメントとが互いに反対の方向にしか移動できないように、前記第１のスパース多重送受信アレイアレンジメントと前記第２のスパース多重送受信アレイアレンジメントとの運動関係を拘束するための拘束装置と、をさらに備える、
請求項５０に記載の人体セキュリティ検査装置。
【請求項５２】
前記拘束装置は前記第１のスパース多重送受信アレイアレンジメントと前記第２のスパース多重送受信アレイアレンジメントとを接続する剛性な接続ワイヤロープであり、
前記第１のガイドレール装置には第１の定滑車が設けられ、
前記第２のガイドレール装置には第２の定滑車が設けられ、
前記接続ワイヤロープは前記第１のスパース多重送受信アレイアレンジメントから第１の定滑車と第２の定滑車を順次に経過して前記第２のスパース多重送受信アレイアレンジメントに接続される、
請求項５１に記載の人体セキュリティ検査装置。
【請求項５３】
前記第１のスパース多重送受信アレイアレンジメントを直接駆動する第１の駆動装置と、
前記第２のスパース多重送受信アレイアレンジメントを直接駆動する第２の駆動装置と、を含み、
前記第１のスパース多重送受信アレイアレンジメントは第１の駆動装置を介して第１のガイドレール装置に接続され、
前記第２のスパース多重送受信アレイアレンジメントは第２の駆動装置を介して第２のガイドレール装置に接続される、
請求項５０に記載の人体セキュリティ検査装置。
【請求項５４】
第１のスパース多重送受信アレイアレンジメントが最低周波数から最高周波数までミリ波を送信し、第２のスパース多重送受信アレイアレンジメントが最高周波数から最低周波数までミリ波を送信し、或いは、
第２のスパース多重送受信アレイアレンジメントが最低周波数から最高周波数までミリ波を送信し、第１のスパース多重送受信アレイアレンジメントが最高周波数から最低周波数までミリ波を送信する、
請求項４９に記載の人体セキュリティ検査装置。
【請求項５５】
請求項４８〜５４の何れか一項に記載の人体セキュリティ検査装置を使用して実施される人体セキュリティ検査方法。
【発明の詳細な説明】
【技術分野】
【０００１】
本開示の実施例は人体セキュリティ検査分野に関し、特にミリ波を用いる多重送受信アンテナアレイを含む人体セキュリティ検査装置及び方法に関する。
【背景技術】
【０００２】
現在、国内外で反テロリズムの情態がますます厳しくなっており、テロリストは銃器、刃物及び爆発物、毒物などの危険品を隠匿して携帯し、航空安全を脅かしている。空港、鉄道駅などの特殊な場所における人体セキュリティ検査技術は各国の交輸管理部門に重要視されている。
【０００３】
従来技術には、既にアクティブミリ波・テラヘルツ波に基づく人体結像技術がある。当該技術の動作原理は、装置がまず人体にミリ波を放射し、そしてファインダで人体又は容疑物によって散乱されたミリ波を受信し、再構成アルゴリズムによって人体を結像する、ということである。しかしながら、計算量が大きくて結像速度が遅い。使用されるミリ波を送信・受信するためのアンテナが多く、装置が複雑になり、製造する難易度が高い。
【発明の概要】
【０００４】
本開示の一面によれば、本開示の実施例は、ミリ波を送信するための一群の送信アンテナと、前記一群の送信アンテナに送信され人体に反射されるミリ波を受信するための一群の受信アンテナとを備えるアクティブミリ波セキュリティ検査結像に用いられるスパース多重送受信アレイアレンジメントを提供している。
【０００５】
ただし、前記一群の送信アンテナは１行目に沿って配列される複数の送信アンテナを含み、前記一群の受信アンテナは２行目に沿って配列される複数の受信アンテナを含み、前記一群の送信アンテナの１行目の複数の送信アンテナは、前記一群の受信アンテナの２行目の複数の受信アンテナに平行であり、かつ１行目の前記一群の送信アンテナと２行目の前記一群の受信アンテナとは間隔を空けて同一の平面に位置する。
【０００６】
ただし、送信アンテナの数が受信アンテナの数よりも少なくなるように、２行目における１行目に沿って配列される２つの隣り合う送信アンテナの間の間隔長さに対応する同じ長さ範囲において、少なくとも１つの受信アンテナが配置される。
【０００７】
本開示の一面は、ミリ波を送信するための一群の送信アンテナと、前記一群の送信アンテナに送信され人体に反射されるミリ波を受信するための一群の受信アンテナとを備えるアクティブミリ波セキュリティ検査結像に用いられるスパース多重送受信アレイアレンジメントを提供している。
【０００８】
ただし、前記一群の送信アンテナは１行目に沿って配列される複数の送信アンテナを含み、前記一群の受信アンテナは２行目に沿って配列される複数の受信アンテナを含み、前記一群の送信アンテナの１行目の複数の送信アンテナは、前記一群の受信アンテナの２行目の複数の受信アンテナに平行して配列され、かつ１行目の前記一群の送信アンテナと２行目の前記一群の受信アンテナとは間隔を空けて同一の平面に位置する。
【０００９】
ただし、１行目に沿って配列される２つの隣り合う送信アンテナの間の間隔距離が放射波の波長の１倍以上であり、２行目に沿って配列される複数の受信アンテナの間の間隔距離が放射波の波長の１倍以上であることにより、対をなすように配置される送信アンテナと受信アンテナのセットの間に放射波の波長の１倍の距離で間隔を空ける場合に比べ、送信アンテナと受信アンテナの総数は減少する。
【００１０】
ただし、前記スパース多重送受信アレイアレンジメントは、隣り合う２つのセグメントの間になす角を形成する複数のセグメントを備える。
【００１１】
前記一群の送信アンテナと前記一群の受信アンテナのそれぞれは、前記複数のセグメントにそれぞれ配置される部分を備える。
【００１２】
本開示の一面は、ミリ波を送信するための平行に配列される複数行の送信アンテナと、人体に反射されるミリ波を受信するための平行に配列される複数行の受信アンテナとを備えるアクティブミリ波セキュリティ検査結像に用いられるスパース多重送受信アレイアレンジメントを提供している。各行の送信アンテナは複数の送信アンテナを含み、各行の受信アンテナは複数の受信アンテナを含む。
【００１３】
前記複数行の送信アンテナと前記複数行の受信アンテナとは平行であり、前記複数行の送信アンテナと前記複数行の受信アンテナとは互いに間隔を空ける。
【００１４】
ただし、複数行の送信アンテナのうちの１行の送信アンテナと複数行の受信アンテナのうちの１行の受信アンテナとは上記スパース多重送受信アレイアレンジメントを構成する。
【００１５】
本開示の一面は、ミリ波を送信するための一群の送信アンテナと、前記一群の送信アンテナに送信され人体に反射されるミリ波を受信するための一群の受信アンテナとを備えるアクティブミリ波セキュリティ検査結像に用いられるスパース多重送受信アレイアレンジメントを提供している。
【００１６】
ただし、前記一群の送信アンテナは、アーク状面内において第１のアークに沿って配列される複数の送信アンテナを含み、前記一群の受信アンテナは、アーク状面内において第２のアークに沿って配列される複数の受信アンテナを含み、前記一群の送信アンテナのうちの第１のアークに沿って配列される複数の送信アンテナは前記一群の受信アンテナのうちの第２のアークに沿って配列される複数の受信アンテナに平行して配列され、かつ第１のアークに沿って配列される前記一群の送信アンテナと第２のアークに沿って配列される前記一群の受信アンテナとは間隔を空けて同一の平面に位置する。
【００１７】
ただし、第２のアークにおける第１のアークに沿って配列される２つの隣り合う送信アンテナの間の間隔のアーク長に対応する同じアーク長範囲において、少なくとも１つの受信アンテナが配置される。
【００１８】
本開示の一面は、上記スパース多重送受信アレイアレンジメントを備える人体セキュリティ検査装置を提供している。
【００１９】
本開示の一面は、上記人体セキュリティ検査装置を使用して実施される人体セキュリティ検査方法を提供している。
【図面の簡単な説明】
【００２０】
【図１】一次元一重送受信アンテナアレイを示す模式図である。
【図２】一次元多重送受信アンテナアレイを示す模式図である。
【図３】多重送信アンテナ−多重受信アンテナの動作原理を示す図である。
【図４】本開示の一実施例によるスパース多重送受信アレイアレンジメントを示す模式図であり、ただし、送信アンテナの間の間隔距離が４λである。
【図５】本開示の一実施例によるスパース多重送受信アレイアレンジメントを示す模式図であり、ただし、送信アンテナの間の間隔距離が４λである。
【図６Ａ】本開示の一実施例によるスパース多重送受信アレイアレンジメントを示す模式図であり、ただし、送信アンテナの間の間隔距離が３λである。
【図６Ｂ】本開示の一実施例によるスパース多重送受信アレイアレンジメントを示す模式図であり、ただし、送信アンテナの間の間隔距離が３λである。
【図７Ａ】本開示の一実施例によるスパース多重送受信アレイアレンジメントを示す模式図であり、ただし、送信アンテナの間の間隔距離が２λである。
【図７Ｂ】本開示の一実施例によるスパース多重送受信アレイアレンジメントを示す模式図であり、ただし、送信アンテナの間の間隔距離が２λである。
【図８Ａ】本開示の一実施例によるスパース多重送受信アレイアレンジメントを示す模式図であり、ただし、送信アンテナの間の間隔距離が５λである。
【図８Ｂ】本開示の一実施例によるスパース多重送受信アレイアレンジメントを示す模式図であり、ただし、送信アンテナの間の間隔距離が５λである。
【図９Ａ】本開示の一実施例によるスパース多重送受信アレイアレンジメントを示す模式図であり、ただし、送信アンテナが複数の群に分けられる。
【図９Ｂ】本開示の一実施例によるスパース多重送受信アレイアレンジメントを示す模式図であり、ただし、送信アンテナが複数の群に分けられる。
【図１０】本開示の一実施例によるスパース多重送受信アレイアレンジメントを示す模式図である。
【図１１】本開示の一実施例によるスパース多重送受信アレイアレンジメントを示す模式図である。
【図１２】本開示の一実施例による人体セキュリティ検査装置を示す模式図である。
【図１３】本開示の一実施例による人体セキュリティ検査装置を示す模式図である。
【図１４】本開示の一実施例による人体セキュリティ検査装置を示す模式図である。
【図１５】本開示によるアーク状アレイを示す。
【図１６】本開示によるアーク状アレイのアーク長とコード長の関係を示す。
【図１７Ａ】のそれぞれは本開示の一実施例によるスパース多重送受信アレイアレンジメントを示す正面図と平面図である。
【図１７Ｂ】のそれぞれは本開示の一実施例によるスパース多重送受信アレイアレンジメントを示す正面図と平面図である。
【図１８】本開示の一実施例による人体セキュリティ検査装置を示す模式図である。
【図１９】本開示の一実施例による人体セキュリティ検査装置を示す模式図である。
【図２０】本開示の一実施例による人体セキュリティ検査装置を示す模式図である。
【図２１】本開示の一実施例による人体セキュリティ検査装置を示す模式図である。
【図２２】本開示の一実施例による人体セキュリティ検査装置を示す模式図である。
【図２３】本開示の一実施例による人体セキュリティ検査装置を示す模式図である。
【発明を実施するための形態】
【００２１】
本開示は各種の修正及び置換可能な様態を許容するが、具体的な実施例は例として図面に示されているとともに、本文において詳しく説明されている。しかしながら、添付の図面と詳細な説明は、本開示を開示された具体的な様態に限定するためのものではなく、逆に、添付の請求項に限定される本開示の趣旨と範囲に入る全ての修正、同等様態及び置換様態を含むためのものであると理解されるべきである。図面は例示するためのものであるため、比例して描画されたものではない。
【００２２】
本明細書において、「上」、「下」、「左」、「右」などの用語が使用されているが、エレメントの絶対方位を限定するためではなく、エレメントの図面における相対位置を説明して理解しやすくするためである。本明細書における「頂側」と「底側」は、通常、正立する物体の上側と下側の方位である。「第１の」、「第２の」なども順位を付けるためではなく、異なる部品を区別するためである。
【００２３】
以下、図面を参照しながら本開示の複数の実施例を説明する。
【００２４】
まず、本開示の実施例に用いられるミリ波人体セキュリティ検査の基本知識を紹介する。現在、アクティブミリ波人体セキュリティ検査装置は通常、一次元一重送受信又は準一重送受信アンテナアレイによる合成開口結像原理に基づく。図１において、三角形は１つの送受信アンテナ（送信アンテナ−受信アンテナ）ユニットを表し、Ｔは送信アンテナを表し、Ｒは受信アンテナを表し、ＴＲは送信アンテナ−受信アンテナユニットを表す。結像に必要な開口の長手方向に間隔距離が半波長である原則に従って実際の送受信アンテナユニットを等間隔に配置する。送受信アンテナユニットの後端（図示せず）は高速スイッチングによって送受信装置に繋がる。１番目の送受信アンテナユニットはスイッチングによって送受信装置と組み合わせて一回のデータ採取を完成する。スイッチングの切替によって、２番目の送受信アンテナユニットはスイッチングによって送受信装置と組み合わせて一回のデータ採取を再度完成するように制御する。１番目の送受信アンテナユニットからＮ番目の送受信アンテナユニットに切り替えるようにスイッチングを制御することにより、Ｎ群のデータ採取を完成して結像に必要なＮ個の等価ユニットのデータ情報を取得できる。
【００２５】
送受信一体又は送受信分離のアンテナユニット一次元アレイ結像方式の欠点は、非常に多数のアンテナ資源を必要とすることである。Ｎ個のアンテナユニットのサンプル採取を実現するために、送受信一体アンテナアレイはＮ個のアンテナユニットを必要とし、送受信分離アンテナアレイは２Ｎ個のアンテナユニットを必要とするので、送受信アンテナの利用率は低い。また、アンテナユニットアレイを実現するには必要とするアンテナユニットの数が多く、かつアンテナユニット間隔距離がナイキスト法則、即ちアンテナユニット間隔が半波長の間隔距離である要求を満足する必要があるため、動作周波数が低い場合、物理的実現難易度が高くないが、動作周波数の引き上げに伴って実現難易度が次第に高くなる。
【００２６】
ナイキスト法則とは、開口に沿って必要とされるサンプル採取数は、波長、開口寸法、ターゲット寸法及びターゲットまでの距離を含む要因によって特定される。１つのサンプル採取点から次のサンプル採取点までの移相がπ未満であれば、ナイキスト法則を満足する。最悪の場合、ターゲットが開口に非常に近くてサンプル採取点が開口のエッジに近い。空間サンプリング間隔Δｘについて、最悪の場合、移相は２ｋΔｘを超えない。したがって、サンプリング法則は下記式で表すことができる。
ΔＸ＜（λ/４）
ただし、λ＝２π/ｋは波長である。
【００２７】
この結果が通常の要求よりも厳しいのは、ターゲット（例えば人体）が通常開口に近くてアンテナビーム幅が通常１８０度未満であるためである。これに基づき、応用される結像システムが通常採用されるサンプリング間隔はλ/２のオーダーにある。
【００２８】
動作周波数が２４〜３０ＧＨｚと７０〜８０ＧＨｚである場合を例として対比し、対応波長はそれぞれ１０ｍｍと４ｍｍである。図１に示す一次元アレイを実現するために、送信アンテナと受信アンテナとの間隔距離はそれぞれ５ｍｍと２ｍｍであることが要求される。仮にアンテナ開口の長さが１ｍである場合には、送受信一体アンテナアレイはそれぞれ２００個と５００個のアンテナユニットを必要とし、送受信分離アンテナアレイは４００個と１０００個のアンテナユニットを必要とする。周波数の増加に伴ってアンテナ間隔が小さくなり、必要とされるアンテナ数が急激に増加することが見られる。アンテナ間隔が小さくなることによって、アンテナユニット設計及びアレイレイアウト設計には大きな困難があると同時に、送受信アンテナの性能が制限される。アンテナ数が増加すると、ハードウェアコスト及びシステムの複雑さを増加させるだけではなく、データ量も増加し、採取時間が長くなる。したがって、図１に示す一次元アレイは高周波ミリ波（５０ＧＨｚ〜３００ＧＨｚ）人体結像安全検査における利用可能性が低く、工事実現価値を具備していない。
【００２９】
図２はスパース分布多重入出力のアンテナレイアウト方式を示す。ただし、Ｔは送信アンテナを表し、Ｒは受信アンテナを表す。このようなアンテナレイアウト方式はアンテナの数を低減させることができるが、例えば、等価位相中心と送受信アンテナとの距離が大きいため、計算速度が遅くて画像の再構成時間が長い逆投影法しか採用できない、という欠点がある。後ろ向き投影は、コンピュータトモスキャン技術に由来し、時間域信号処理に基づく精確な結像アルゴリズムである。その基本的思想は、結像領域における各結像点に対して、当該点から受信、送信アンテナまでの時間遅れを算出することで、全てのエコーが当該時間遅れに対する寄与に対してコヒーレンススタックを行い、当該点の画像における対応的な画素値を取得し、このように結像領域全体に対して各点ずつコヒーレンススタック処理を行うことで結像領域の画像を取得できる、ということである。このようなアルゴリズムの最も大きな欠点は、結像区間全体の各点を再構成する必要があることである。再構成速度が遅くてかかる時間も長い。また、両端の受信アンテナは密に分布するものであり、間隔がナイキスト採用定理を満足する必要がある。例えば１７０ＧＨｚ〜２６０ＧＨｚ周波数帯について、典型的な送信アンテナと受信アンテナの開口は１０.８ｍｍであり、中心周波数に対応する半波長は１.３６ｍｍである。このようなアンテナアレンジメント方式は不適当であることが明らかである。解決法の１つは受信アンテナをスパースにし、等価位相中心の間隔が半波長よりも大きくなるようにすることであるが、アンテナ採取不足によって再構成画像のアーチファクトはひどくなる。
【００３０】
上記不足を解決するために、本開示はスパース多重送受信アレイアレンジメント案を提出している。多重送受信アレイのスパース化設計及び制御技術におよって、データ採取速度とアンテナユニット利用率を大きく向上させることができる。アレイ方向に沿って電気的走査を完全的に実現し（即ちスイッチングによって次から次へと動作するようにアンテナを制御し、或いはスイッチングによって周波数走査を次から次へと行うようにアンテナを制御する）、機械的走査を必要とせず、素早く走査して結像速度を向上させることができる。また、高速フーリエ変換に基づく再構成アルゴリズムを採用して再構成速度を著しく向上させることができる。同時に、ハードウェアの複雑さを低減して工事実現可能性を向上させる。
【００３１】
本開示の実施例は、アクティブミリ波結像に用いられるスパース多重送受信アレイアレンジメントを提供している。ただし、シングルステーション等価と電気的スイッチング制御によって、等価ユニット間隔距離が動作周波数に対応する波長の半分よりも幾分大きく、或いは動作周波数に対応する波長の半分に等しくなるように設けられる。前記等価ユニットは等価位相中心である。
【００３２】
説明を容易にするために、図３は多重送受信システムを示す。Ｘ−Ｙ座標系を作り、Ｘ軸にスパース送受信セットを設置し、Ａｔ（ｘｔ，ｙｔ）とＡｒ（ｘｒ，ｙｒ）で一対の送受信のセットの送信アンテナと受信アンテナ及びそれらの所在位置の座標をそれぞれ表す。
【００３３】
ターゲット領域内の１つのポイントターゲットについて、ＩはＩ（ｘｎ，ｙｎ）に位置する散乱されるポイントターゲットを表す。Ｉと送信アンテナＡｔとの距離をＲｔ，ｎと定義し、Ｉと受信アンテナＡｒとの距離をＲｒ，ｎと定義する。Ｒ０はターゲット領域中心と直線状アレイとの垂直距離、即ち結像距離である。
【数１】
2021527832.tif 000003
【００３４】
ポイントターゲットによって散乱されたエコー信号は下記式で表すことができる。
【数２】
2021527832.tif 000004
ただし、σ（ｘ，ｙ）は人体の散乱係数であり、Ｋωは周波数ステッピング信号の空間周波数であり、ｊは虚数単位である。
【００３５】
送受信のセットＡｔＡｒが受信したターゲット領域のエコー信号は下記式で表すことができる。
【数３】
2021527832.tif 000005
ただし、Ｄは結像領域である。
【００３６】
信号を送信・受信する等価位置はアンテナの位相中心で表すことができる。当該等価位置は２つの独立したアンテナ又は開口の物理的中心である。多重送受信システムにおいて、１つの送信アンテナは複数の受信アンテナに対応する。本開示の実施例において、受信アンテナユニットと送信アンテナユニットとは異なる位置に位置するように設けられる。このような送信アンテナと受信アンテナとが空間的に分離したシステムは１つの仮想システムでシミュレーションすることができる。仮想システムにおいて、各群の送信と受信アンテナとの間に、等価位相中心と称される１つの仮想位置を設置する。送受信アンテナセットが採取したエコーデータは、等価位相中心Ａｅ（ｘｅ，ｙｅ）の所在位置における自己送受信アンテナが採取したエコーに等価することができる。
【００３７】
当該送受信セットについて、各アンテナの間の物理的座標の関係は下記式で表すことができる。
【数４】
2021527832.tif 000006
【００３８】
等価位相中心原理を採用し、等価エコー信号は下記式で表すことができる。
【数５】
2021527832.tif 000007
【００３９】
本開示の上記したアクティブミリ波結像のスパース多重送受信アレイアレンジメント原理に基づき、図４は一実施例を示す。図４におけるスパース多重送受信アレイアレンジメントは具体的に以下のステップによって構成される。
【００４０】
まず、例えば動作周波数（波長λ）、アンテナアレイ長さ、即ちアンテナ開口Ｌａｐなどの要求のような結像指標パラメータに応じて必要な等価ユニット数Ｎ及び間隔ｄを確定する。
【００４１】
そして、送受信分離方式に従って実際のアンテナユニットを配置する。送信アンテナ/受信アンテナはそれぞれ互いに平行な２つの直線に沿って分布され、間隔がｄｔｒである。
【００４２】
次に、送信アンテナユニットのアレンジメントを設計する。送信アンテナの総数Ｎｔは任意のものであり、アンテナ開口Ｌａｐによって決定される。各送信アンテナの間隔距離はＭλ（本実施例では、４λ）である。
【００４３】
続いて、受信アンテナユニットのアレンジメントを設計する。受信アンテナの総数Ｎｒが任意のものである。受信アンテナは等間隔距離に分布され、間隔距離がλである。
【００４４】
上記ステップによって構成されたアクティブミリ波セキュリティ検査結像に用いられるスパース多重送受信アレイアレンジメントは、ミリ波を送信するための一群の送信アンテナと、人体に反射されるミリ波を受信するための一群の受信アンテナと、を備える。本実施例において、前記一群の送信アンテナは、１行目に沿って配列された複数の送信アンテナを含み、前記一群の受信アンテナは、２行目に沿って配列される複数の受信アンテナを含み、１行目の前記一群の送信アンテナは２行目の前記一群の受信アンテナに平行であり、かつ１行目の前記の一群の送信アンテナと２行目の前記一群の受信アンテナとは間隔を空けて同一の平面に位置する。ただし、１行目における２つの隣り合う送信アンテナの間の間隔長さに対応して、２行目において２つを超える受信アンテナを配置する。このように、画像鮮明度を保証するとともに、受信アンテナの数を減らすことができる。送信アンテナの数が受信アンテナの数よりも少ないため、エレメントの総数を減らし、製造難易度及びコストを低減させる。
【００４５】
スパース多重送受信アレイアレンジメントが動作する際、種々の様態があってもよい。例えば、一実施例において、１行目の複数の送信アンテナは左から右へ（即ち、一端部の送信アンテナから）次々に/ステップ的に電磁波信号を送信し、各送信アンテナの電磁波信号は、最も近くにある例えば６つ又は８つの受信アンテナに受信される（等価位相中心の間の間隔が半波長であることを保証する）。最後に、全ての送信アンテナは一回の信号の送信を完成すると一行の走査を完成する。一実施例において、（例えば）別の動作様態として、１行目の複数の送信アンテナは、同一の周波数の電磁波信号を同時に送信し、各送信アンテナが送信した信号は何れもコード化され、受信アンテナが受信した信号はデコードされた後に画像に応用される必要があり、一回の電磁波信号の送信と受信を完成すると一回の一次元走査を完成する。一実施例において、１行目の複数の送信アンテナは左から右へ（即ち、一端部の送信アンテナから）次々に/ステップ的に電磁波信号を送信する。各送信アンテナの電磁波信号は、最も近くにある例えば６つ又は８つの受信アンテナに受信される。かつ送信アンテナが送信した電磁波信号の周波数は次第に増大する。最後に、全ての送信アンテナは一回の信号の送信を完成すると一行の走査を完成する。一実施例において、（例えば）さらに別の動作様態として、１行目の複数の送信アンテナは左から右に次々に電磁波信号を送信する。一回の一次元走査を完成した後、１行目の送信アンテナは横方向に沿って所定変位を平行移動してから、再び次々に電磁波信号を送信し、電磁波信号の周波数は前回送信した周波数と異なる。
【００４６】
送信アンテナと受信アンテナはさらに他の動作方式を有してもよい。
【００４７】
一実施例において、少なくとも１つの送信アンテナが少なくとも１つの受信アンテナに整列することにより両者の間の接続線が前記一群の送信アンテナ又は前記一群の受信アンテナの行の方向に垂直であるようにする。しかしながら、それは必須のものではないと分かるべきである。
【００４８】
しかしながら、別の実施例において、いずれか１つの送信アンテナといずれか１つの受信アンテナとの接続線は、前記一群の送信アンテナ又は前記一群の受信アンテナの行の方向と所定のなす角を形成する。これは有利的であり、送信アンテナと付近の受信アンテナとの間の空間を効果的に利用することができ、一対の送信アンテナと受信アンテナとが近接しすぎることはない。
【００４９】
一実施例において（例示として）、複数の送信アンテナの間は放射波の波長の４倍の距離で間隔を空ける。前記一群の受信アンテナは、放射波の波長の１倍の距離で間隔を空ける複数の受信アンテナを含む。送信アンテナと受信アンテナは、上記条件を満足する場合、アレイアレンジメントの長さ又はいわゆる開口に基づいて数が特定される。
【００５０】
図４はアレンジメント方式を示す。一群の送信アンテナのうちの１つの送信アンテナと、一群の受信アンテナのうちの対応する１つの受信アンテナとの接続線の中点は、当該一対の送信アンテナ−受信アンテナの仮想の等価位相中心とみなされ、隣り合う等価位相中心の間の距離は放射波の波長の半分である。図４（下記の図５においても同様）において、正方形Ｔで表す送信アンテナと円形Ｒで表す受信アンテナとの間には破線で接続される。ＴとＲの中点は三角形で表す。三角形の位置は仮想の等価位相中心を表す。１つの送信アンテナは通常、複数の受信アンテナに対応できる。例えば、１つの送信アンテナは３つ、４つ、５つ、６つ、７つ又は８つの受信アンテナに対応できる。即ち、１つの送信アンテナが送信した信号は、もっとも近くにある３つ、４つ、５つ、６つ、７つ又は８つの受信アンテナによって受信されて識別される。実際、送信アンテナの信号は他の受信アンテナに受信されることも可能である。しかしながら、実際の応用において、他の受信アンテナの信号を考慮しない。即ち、各送信アンテナと固定的な対応の受信アンテナとを対にして測定する。各対の送信アンテナ−受信アンテナの間には１つの仮想の等価位相中心を有する。これら仮想の等価位相中心、即ち図４における三角形で表す等価位相中心の位置は、互いの間隔距離が放射波の波長の半分である。送信アンテナと受信アンテナの数を減少させるとともに、一般的な等価位相中心の重なりを避けるために、隣り合う等価位相中心の間の距離を放射波の波長の約半分にすれば、最終的に鮮明な画像を構成することができる。例えば隣り合う等価位相中心の間の距離は放射波の波長の０.３〜０.７倍である。換言すると、隣り合う等価位相中心の間の距離が放射波の波長の半分よりも遥かに大きくなっている場合、画像が鮮明でない可能性がある。
【００５１】
本開示の実施例では、１行目の前記一群の送信アンテナと２行目の前記一群の受信アンテナとの間隔距離が任意の値であってよいが、１行目の前記一群の送信アンテナと２行目の前記一群の受信アンテナとの間において、間隔距離をできるだけ小さくすることは有利である。それは、距離が大きくなりすぎると、等価位相中心条件（隣り合う等価位相中心の間隔距離が波長の半分或いは波長の半分に近い）が成立しないからである。しかしながら、実際の応用において、距離が短くなりすぎると、実現が困難になり、クロストーク及び空間不足の問題がある。一実施例において、１行目の前記一群の送信アンテナと２行目の前記一群の受信アンテナとの間隔距離は結像距離の１０％よりも小さい。
【００５２】
一実施例において、スパース多重送受信アレイアレンジメントは、前記一群の送信アンテナが順次にミリ波を送信するように制御するための制御スイッチをさらに備えてもよい。
【００５３】
一実施例において、スパース多重送受信アレイアレンジメントは、前記一群の送信アンテナが順次に放射波を送信することで一群の送信アンテナの走査を完成し、多重送受信アレイアレンジメントが前記一群の送信アンテナの行の方向に直交する方向に沿って変位することで人体の二次元走査を次第に完成し、フーリエ変換に基づく合成開口ホログラフィアルゴリズムによって結像を完成するように配置される。図４に示すように、左側１番目の送信アンテナからミリオーダーの放射波を送信し、受信アンテナが戻り信号を受信し、その後、２番目の送信アンテナが放射波を放射し、順次に操作を行い、一回の走査を完成する。その後、紙面の上向き又は下向き方向に沿ってステップ１つの距離を移動し、再び上記走査を繰り返して人体を次第に走査する。
【００５４】
一実施例において、スパース多重送受信アレイアレンジメントは、フーリエ変換に基づく合成開口ホログラフィアルゴリズムによって正確な結像領域に対して画像再構成を一回で完成するように配置され、結像公式は下記である。
【数６】
2021527832.tif 000008
ただし、σ（ｘ，ｙ）は人体の散乱係数であり、Ｒ０は結像距離であり、ＦＴ２Ｄは二次元フーリエ変換であり、
【数７】
2021527832.tif 000009
は二次元逆フーリエ変換であり、ｊは虚数単位であり、ｋは伝搬定数であり、ｋｘ、ｋｙはそれぞれ空間伝搬定数であり、
【数８】
2021527832.tif 000010
は一対の送信アンテナ−受信アンテナのセットが受信した人体のエコー信号であり、Ｋωは周波数ステッピング信号の空間周波数である。
【００５５】
動作する時、制御スイッチによって、複数の送信アンテナは順次に放射波を送信する。１番目の送信アンテナが動作する時、１番目〜４番目の受信アンテナがエコーデータを採取する。２番目の送信アンテナが動作する時、１番目〜８番目の受信アンテナがエコーデータを採取する。３番目の送信アンテナが動作する時、５番目〜１２番目の受信アンテナがエコーデータを採取する。この順に、各送信アンテナに対応する８つの受信アンテナがデータを採取する。最終の送信アンテナ、即ちＮｔ番目の送信アンテナになると、最終の４つの受信アンテナがデータを採取する。
【００５６】
全ての送信アンテナが順次に送信した後、一回の横方向のデータ採取が完成し、最終的には（Ｎｔ−１）×８個のエコーデータを取得する。上記等価位相中心原理に基づき、これらエコーデータは（Ｎｔ−１）×８個の等価位相中心が採取したエコーデータに等価することができる。そして、これら等価位相中心の間隔は０.５λであり、ナイキスト採取法則に要求される等価エレメント分布を満足する。
【００５７】
そして、アレイに直交する方向において合成開口走査、即ち機械的走査を行い、二次元開口に対する走査を完成する。走査の歩幅は同様に採用定理、即ち半波長が０.５λであることを満足する必要がある。
【００５８】
二次元開口走査を完成した後、採取したエコーデータは下記式で表すことができる。
【数９】
2021527832.tif 000011
【００５９】
最後、高速フーリエ変換に基づく合成開口ホログラフィアルゴリズムによって素早く再構成して結像を完成することができる。
【００６０】
結像アルゴリズムの目的は、エコー式からターゲットの像、即ちターゲットの散乱係数σ（ｘ，ｙ）を反転することにある。フーリエ変換に基づく合成開口ホログラフィアルゴリズムは、逆投影法のように結像領域全体に対して各点ずつ再構成する必要がなく、高速フーリエ変換の優勢を利用して一回で正確な結像領域に対して再構成を完成する。結像公式は下記式である。
【数１０】
2021527832.tif 000012
ただし、Ｒ０は結像距離である。
【００６１】
別の実施例において、図５に示すように、送信アンテナアレイと受信アンテナアレイとは、位置をずらして設けられる。送信アンテナアレイの左から１番目のアンテナと受信アンテナアレイの左から１番目のアンテナとの間隔距離はλである。
【００６２】
本開示が提示したスパース多重送受信アレイアレンジメントはシングルステーション等価原理に基づくものである。即ちアレイはシングルステーション等価によって制御スイッチの制御を組み合わせ、最終的に形成した等価位相中心（本開示においても等価ユニット又は等価アンテナユニットと称される）がナイキスト採取法則を満足するように設計される。つまり、送受信アンテナアレイにおいて、最終的に形成した等価アンテナユニットの間隔距離は、動作周波数に対応する波長の半分よりも幾分大きく、或いは動作周波数に対応する波長の半分に等しくなる。本開示の実施例は上述原則に基づき、高周波数帯ミリ波の波長が比較的に短いことを考慮し、工事実現可能性を実現させるために、アレイスパース化設計とアレイスイッチング制御技術を同時に採用し、最終的に半波長間隔距離等価アンテナユニットの分布要求を実現する。
【００６３】
以下、図４を参照して、６３個の送信アンテナと２４８個の受信アンテナとによってアレイを構成する設計過程を例として、本開示のスパース多重送受信アレイを配置する方法を紹介する。当業者は本発明の教示に基づいてスパースアレイを配置することができる。
【００６４】
まず、例えば結像解像度、サイドロープレベルなどのパラメータのような結像指標パラメータの要求に応じて、必要な等価ユニットの数及び間隔、即ち等価仮想アレイの分布を特定する。等価エレメントの間隔は動作波長の半分よりも幾分大きく、或いは動作波長の半分に等しくなる必要がある。
【００６５】
そして、送受信分離方式に従って実際のアンテナユニットを配置する。送信アンテナ/受信アンテナはそれぞれ互いに平行な２つの直線に沿って分布され、直線の間隔距離は任意の値であってよいが、小さいほうが好ましい（λ、１.５λ、２λ、３λ、４λなどであってもよい）。実際に設計されるアンテナユニット寸法及びアレイ寸法の設計要求に応じて合理的に選択し、本発明のアレイ寸法を１ｍに設計する。
【００６６】
次に、図４に示すように、送信アンテナユニットのアレンジメントを設計する。送信アンテナの総数は６３（他の任意の数にしてもよいが、具体的な数は結像解像度、結像範囲などの要因によって決定される）である。各送信アンテナの間隔距離は４λである。
【００６７】
続いて、受信アンテナユニットのアレンジメントを設計する。受信アンテナの総数は２４８（他の任意の数にしてもよいが、具体的な数は結像解像度、結像範囲などの要因によって決定される）である。各受信アンテナの間隔距離はλである。送信アンテナアレイと受信アンテナアレイとの１番目のアンテナが整列する時の様子は図４に示すようである。
【００６８】
図５に示す実施例において、送信アンテナアレイと受信アンテナアレイとは、１番目のアンテナが位置をずらして設けられる。送信アンテナアレイの左から１番目のアンテナと受信アンテナアレイの左から１番目のアンテナとの間隔距離はλ（他の任意の値にしてもよいが、通常、[−５λ，５λ]の間の任意の値を採用する）である。
【００６９】
動作する時、１番目の送信アンテナが最初のＭ/２（即ち４）個の受信アンテナに対して差分を求め、２番目〜Ｎｔ−１個の送信アンテナ分布がＭ（即ち８）個の受信アンテナに対して差分を求め、第Ｎｔ個の送信アンテナが最後のＭ/２（即ち４）個の受信アンテナに対して差分を求め、等間隔が０.５λである等価ユニット分布を取得し、最終的にナイキスト採取法則要求を満足する等価エレメント分布を取得する。電気的スイッチング制御によって、送信アンテナを順次に切り替えて一回のデータ採取を完成する。そして、アレイに直交する方向において合成開口走査を行い、二次元開口に対する走査を完成する。最後、高速フーリエ変換に基づく合成開口ホログラフィアルゴリズムによって素早く再構成して結像テストを完成することができる。
【００７０】
図６は本開示の別の実施例を示す。図４の実施例と異なっているのは、各送信アンテナの間の間隔距離が３λであり、各受信アンテナの間の間隔距離がλであることである。ただし、図６Ａにおいて、１番目の送信アンテナと１番目の受信アンテナとが整列しており、図６Ｂにおいて、１番目の送信アンテナと１番目の受信アンテナとがλ１つ分ずれている。
【００７１】
図７は本開示の別の実施例を示す。図４の実施例と異なっているのは、各送信アンテナの間隔距離が２λであり、各受信アンテナの間の間隔距離がλであることである。ただし、図７Ａにおいて、１番目の送信アンテナと１番目の受信アンテナとが整列しており、図７Ｂにおいて、１番目の送信アンテナと１番目の受信アンテナとがλ１つ分ずれている。
【００７２】
図８は本開示の別の実施例を示す。図４の実施例と異なっているのは、各送信アンテナの間隔距離が５λであり、各受信アンテナの間の間隔距離がλであることである。ただし、図８Ａにおいて、１番目の送信アンテナと１番目の受信アンテナが整列しており、図８Ｂにおいて、１番目の送信アンテナと１番目の受信アンテナとがλ１つ分ずれている。動作する時、１番目の送信アンテナが最初の５個の受信アンテナに対して差分を求め、２番目〜Ｎｔ−１個の送信アンテナ分布が１０個の受信アンテナに対して差分を求め、第Ｎｔ個の送信アンテナが最後の５個の受信アンテナに対して差分を求め、等間隔が０.５λである等価ユニット分布を取得し、最終的にナイキスト採取法則要求を満足する等価エレメント分布を取得する。電気的スイッチング制御によって、送信アンテナを順次に切り替えて一回のデータ採取を完成する。そして、アレイに直交する方向において合成開口走査を行い、二次元開口に対する走査を完成する。最後、高速フーリエ変換に基づく合成開口ホログラフィアルゴリズムによって素早く再構成して結像テストを完成することができる。例えば、５１個の送信アンテナと２５０個の受信アンテナを設置して１ｍのアレイを形成することができる。
【００７３】
本開示の別の実施例では、上記実施例と異なっているのは、アクティブミリ波セキュリティ検査結像に用いられるスパース多重送受信アレイアレンジメントが、ミリ波を送信するための平行に配列される複数行の送信アンテナと、人体に反射されるミリ波を受信するための平行に配列される複数行の受信アンテナとを備えることである。したがって、送信アンテナがより強い信号を送信でき、受信アンテナがより強い信号を取得でき、走査精度が改善される。各行の送信アンテナが複数の送信アンテナを含み、各行の受信アンテナが複数の受信アンテナを備える。このように、複数行の送信アンテナは順にミリオーダー放射波を送信して一回の走査を完成し、走査効率を大幅に向上させ、一回の走査にカバーされる人体面積が増加し、走査速度が向上される。本実施例において、送信アンテナが送信した電磁波信号はコード化されることができるため、その信号を受信すべき受信アンテナが受信した信号は識別されるとともにデコードされることができ、画像を生成するようにする。
【００７４】
本実施例において、前記複数行の送信アンテナと前記複数行の受信アンテナとは平行であり、前記複数行の送信アンテナと前記複数行の受信アンテナとは互いに間隔を空ける。複数行の送信アンテナのうちの１行の送信アンテナと複数行の受信アンテナのうちの１行の受信アンテナとは上記スパース多重送受信アレイアレンジメントを構成する。
【００７５】
他の実施例において、複数対の隣り合う送信アンテナ−受信アンテナ対の複数の等価位相中心の少なくとも一部は一列に交互に配列されている。例えば、本開示の一実施例において、前記複数の送信アンテナは複数の送信アンテナ群に分けられることができ、同一の送信アンテナ群内の送信アンテナの間には放射波の波長の１倍の距離を空け、隣り合う送信アンテナ群の間の間隔距離は放射波の波長の２以上の整数倍である。図９Ａは本実施例の送信アンテナと受信アンテナのアレンジメントを示す。図中、ｔが送信アンテナを表し、ｒが受信アンテナを表す。ｔ１、ｔ２が近いため、一群とみなされてもよく、ｔ３、ｔ４が近いため、一群とみなされてもよい。ｔ１−ｒ１の等価位相中心とｔ２−ｒ２の等価位相中心とは隣り合う。ｔ２−ｒ２の等価位相中心とｔ１−ｒ２の等価位相中心とは隣り合う。即ち、ｔ１−ｒ１、ｔ１−ｒ２の等価位相中心は隣り合って配列されるではなく、両者の間にｔ２−ｒ１の等価位相中心を配列している。このようなアレンジメントは、送信アンテナの信号をコード化することが必要である。受信アンテナは受信した予設の送信アンテナのコード化された信号をデコードして処理する。受信アンテナは、他の送信アンテナの信号を処理できず、又は処理しない。ミリ波の波長の半分に近い間隔で配列される等価位相中心によってフィードバックされた信号はミリ波画像の構成に用いられる。
【００７６】
別の実施例において、複数の送信アンテナは複数の送信アンテナ群に分けられることができ、同一の送信アンテナ群内の送信アンテナの間の間隔は放射波の波長の２以上の整数倍であり、隣り合う送信アンテナ群の間の間隔距離は放射波の波長の２以上の整数倍である。図９Ｂは本開示の一実施例を示す。図９Ｂに示すように、２つのアンテナ（例えばｔ１とｔ２）は一群となり、ｔ１はｒ１から１.５倍のミリ波波長の位置にあり、ｔ１とｔ２の間の間隔距離は３倍のミリ波波長であり、ｔ２とｔ３の間の間隔距離は５倍のミリ波波長であり、送信アンテナｔと受信アンテナｒの間の間隔距離は３倍のミリ波波長である。送信アンテナと受信アンテナの間の間隔距離は、送受信アンテナアレイを置くことができるのであれば、任意の値であってもよい。しかしながら、送信アンテナと受信アンテナとの相互結合を小さくするために、通常、送信アンテナと受信アンテナとの間の間隔距離は結像距離の１０％よりも小さいことが要求されている。ｔ１−ｒ２とｔ１−ｒ３の等価位相中心の間にはｔ２−ｒ１の等価位相中心がある。ｔ２−ｒ１とｔ２−ｒ２の等価位相中心の間にはｔ１−ｒ３の等価位相中心がある。複数の送信アンテナ−受信アンテナ群の等価位相中心は交互に配列されている。なお、ミリ波画像を再構成する前に、受信アンテナのデータの順序を正確な順序に調整することが必要であることに注意すべきである。図９Ａにおいて、アレイの長さが１ｍであると、１２８個の受信アンテナと６４個の送信アンテナが必要であり、取結像距離が０.３５ｍであると、送受信アンテナアレイの間隔距離が３倍のミリ波波長である。
【００７７】
実際に操作する時、送信アンテナｔ１が送信し、受信アンテナｒ１−ｒ４が受信する。そして、送信アンテナｔ２が送信し、受信アンテナｒ１−ｒ４が受信する。そして、送信アンテナｔ３が送信し、受信アンテナｒ１−ｒ８が受信する。そのあと、送信アンテナｔ４が送信し、受信アンテナｒ１−ｒ８が受信する。送信アンテナｔ６７が送信し、受信アンテナｒ１２１−ｒ１２８が受信するまでこのルールに従う。最後に送信アンテナｔ６８が送信し、受信アンテナｒ１２１−ｒ１２８が受信する。合計５０４個の等価位相中心点を形成する。画像を再構成する前に、等価位相中心の順序を調整すると空間的に左から右へ配列する必要がある。
【００７８】
一実施例において、前記複数の送信アンテナの間の間隔距離は放射波の波長の１倍よりも大きく、前記複数の受信アンテナは放射波の波長の１倍よりも大きい距離で間隔を空けている。また、前記複数の送信アンテナの総数と前記複数の受信アンテナの総数とは異なり、かつ互いに素である。図１０は一実施例を示す。ただし、１つの送信アンテナは５つの受信アンテナに対応し、１つの受信アンテナは４つの送信アンテナのコード化された信号を受信して識別することができる。１つの送信アンテナと対応の複数の受信アンテナによって特定される等価位相中心と、隣り合う送信アンテナと対応の複数の受信アンテナによって特定される等価位相中心とは交互に配列される。かつ等価位相中心の間にミリ波の波長の０．３〜０．７倍、通常０．５倍の距離を空けている。
【００７９】
図１０におけるアレイの構成は周期的なスパース互素アレイである。送信アンテナのアレイと受信アンテナのアレイにおけるエレメント数が互いに素であることを利用し、準シングルステーション近似を行い、受信−送信アンテナの接続線の中点を一重送受信アレイの位置とみなして等価の均一線アレイを取得する。仮に一つの周期内の受信、送信アンテナの数分布はＮ１、Ｎ２である場合には、均一にサンプル採取された等価位相中心のアレイを取得するために、Ｎ１とＮ２とが異なり、且つＮ１とＮ２が公約数を有しないことは必要である。通常、Ｎ２＞Ｎ１。一つの周期内のアレイアンテナの長さがＤであると、送信アンテナの間隔距離がＤ/Ｎ１であり、受信アンテナのアレイ間隔距離がＤ/Ｎ２である。１つの送信アンテナが２Ｎ２個の等価位相中心に対応すると、１つの周期内の等価位相中心総数が２Ｎ１Ｎ２である。仮にアレイの周期アレイの周期数がＭである場合には、等価位相中心の総数が２ＭＮ１Ｎ２であり、送受信アンテナアレイの間隔距離ｄｔｒが満足する条件は前にある実施例におけるアレイ構成と同一である。
【００８０】
上記実施例によって構成されたアクティブミリ波セキュリティ検査結像に用いられるスパース多重送受信アレイアレンジメントは、ミリ波を送信するための一群の送信アンテナと、人体に反射されるミリ波を受信するための一群の受信アンテナと、を備え、前記一群の送信アンテナは、１行目に沿って配列される複数の送信アンテナを含み、前記一群の受信アンテナは、２行目に沿って配列される複数の受信アンテナを含み、前記一群の送信アンテナの１行目の複数の送信アンテナは、前記一群の受信アンテナの２行目の複数の受信アンテナに平行して配列され、かつ１行目の前記一群の送信アンテナと２行目の前記一群の受信アンテナとは間隔を空けて同一の平面に位置する。ただし、１行目に沿って配列される２つの隣り合う送信アンテナの間の間隔距離が放射波の波長の１倍以上であり、２行目に沿って配列される複数の受信アンテナの間の間隔距離が放射波の波長の１倍以上であることにより、送信アンテナと受信アンテナとが一対一に配置されてなる送信アンテナ−受信アンテナ群の間に放射波の波長の１倍の距離で間隔を空ける場合に比べて、送信アンテナと受信アンテナの総数は減少しているため、製造難易度及びコストを低減させる。
【００８１】
スパース多重送受信アレイアレンジメントの動作には種々の様態があってもよい。例えば、一実施例において、スパース多重送受信アレイアレンジメントは、前記一群の送信アンテナが順次にミリ波を送信するように制御するための制御スイッチをさらに備えてもよい。制御スイッチによって、１行目の複数の送信アンテナは左から右へ（即ち、一端部の送信アンテナから）次々に/ステップ的に電磁波信号を送信する。各送信アンテナの電磁波信号は、最も近くにある例えば６つ又は８つの受信アンテナに受信される（等価位相中心の間の間隔が半波長であることを保証する）。最後に、全ての送信アンテナは一回の信号の送信を完成すると一行の走査を完成する。一実施例において、（例えば）別の動作様態として、１行目の複数の送信アンテナは、同一の周波数の電磁波信号を同時に送信し、各送信アンテナが送信した信号は何れもコード化され、受信アンテナが受信した信号はデコードされた後に画像に応用する必要があり、一回の電磁波信号の送信と受信を完成すると一回の一次元走査を完成する。一実施例において、１行目の複数の送信アンテナは左から右へ（即ち、一端部の送信アンテナから）次々に/ステップ的に電磁波信号を送信する。各送信アンテナの電磁波信号は、最も近くにある例えば６つ又は８つの受信アンテナに受信され、かつ送信アンテナが送信した電磁波信号の周波数は次第に増大する。最後に、全ての送信アンテナは一回の信号の送信を完成すると一行の走査を完成する。一実施例において、（例えば）さらに別の動作様態として、１行目の複数の送信アンテナは左から右へ次々に電磁波信号を送信し、一回の一次元走査を完成した後、１行目の送信アンテナは配列方向の横方向に沿って所定変位を平行移動してから、次々に電磁波信号を再度送信し、電磁波信号の周波数は前回送信した周波数と異なる。
【００８２】
送信アンテナと受信アンテナはさらに他の動作方式を有してもよい。例えば前記した図４〜８の実施例に対する説明のようであるので、ここでは説明を省略する。
【００８３】
本開示の一実施例は、アクティブミリ波セキュリティ検査結像に用いられるスパース多重送受信アレイアレンジメントであって、ミリ波を送信するための平行に配列される複数行の送信アンテナと、人体に反射されるミリ波を受信するための平行に配列される複数行の受信アンテナとを含み、各行の送信アンテナが複数の送信アンテナを含み、各行の受信アンテナが複数の受信アンテナを含み、前記複数行の送信アンテナが前記複数行の受信アンテナに平行であり、前記複数行の送信アンテナと前記複数行の受信アンテナとが互いに間隔を空けており、ただし、複数行の送信アンテナのうちの１行の送信アンテナと複数行の受信アンテナのうちの１行の受信アンテナが前述した図４〜１０を参照して説明したスパース多重送受信アレイアレンジメントを構成する、アクティブミリ波セキュリティ検査結像に用いられるスパース多重送受信アレイアレンジメントをさらに開示しており、ここでは説明を省略する。
【００８４】
本開示の一実施例において、スパース多重送受信アレイアレンジメントは、隣り合う２つのセグメントの間になす角を形成する複数のセグメントを備えてもよい。前記一群の送信アンテナと前記一群の受信アンテナのそれぞれは、前記複数のセグメントにそれぞれ配置される部分を含む。本実施例において、スパース多重送受信アレイアレンジメントはなす角を形成する複数のセグを備えるため、図１１に示すように、複数のセグメントは一つの半閉の空間を囲むことができる。実際に操作する時、スパース多重送受信アレイアレンジメントの複数のセグメントは一つの対象を囲んで対象の異なる側面に向かい合うことができる。或いは、スパース多重送受信アレイアレンジメントの形状は折れ線形である。直線に配列されるスパース多重送受信アレイアレンジメントに比べて、なす角を形成する複数のセグメントを有する折れ線形のスパース多重送受信アレイアレンジメントは、異なる角度から被検人体に対して検査を行うことができ、人体体側の結像効果をある程度向上させる。
【００８５】
例えば、一実施例において、前記スパース多重送受信アレイアレンジメントは、第１の鉛直平面内に配置される第１のセグメントと、第２の鉛直平面内に配置される第２のセグメントと、を備え、ただし、第１の鉛直平面と第２の鉛直平面とのなす角θ１２が０ではない。前記一群の送信アンテナと前記一群の受信アンテナのそれぞれは、第１のセグメントに配置される部分と、第２のセグメントに配置される部分と、を含む。１本の直線に沿って配置される場合について、なす角を形成する第１のセグメントと第２のセグメントを備えるスパース多重送受信アレイアレンジメントは２つの方向から対象を測定することができる。例えば、θ１２は９０度以上１８０度以下の任意の角度であってもよい。
【００８６】
さらに、別の実施例において、スパース多重送受信アレイアレンジメントは、第３の鉛直平面内に配置される第３のセグメントをさらに備えてもよい。前記第３の鉛直平面と第１の鉛直平面、第２の鉛直平面とのなす角はそれぞれθ１３とθ２３であるとともに、０ではない。前記一群の送信アンテナと前記一群の受信アンテナのそれぞれは第３のセグメントに配置される部分を含む。図１１はこのようなアレンジメントを示す。図面中、小さなドットが送信アンテナを表し、大きなドットが受信アンテナを表す。図１１において、なす角を形成する第１のセグメント１、第２のセグメント２及び第３のセグメント３を備えるスパース多重送受信アレイアレンジメントは３つの方向から対象を測定することができる。例えば、θ１３とθ２３は９０度以上１８０度以下の任意の角度であってもよい。
【００８７】
他の実施例において、前記スパース多重送受信アレイアレンジメントは、第４のセグメント、第５のセグメントなどを備えてもよい。当業者は本開示の教示に基づいて要求に応じて設置することができる。
【００８８】
なお、スパース多重送受信アレイアレンジメントの各セグメントにおける送信アンテナと受信アンテナのアレンジメントは、上記実施例の様態に応じて配置することができる。ここでは説明を省略する。
【００８９】
本開示の一実施例は、１つ又は複数の上記スパース多重送受信アレイアレンジメントを備える人体セキュリティ検査装置をさらに提供している。図１２は人体セキュリティ検査装置を示す模式図である。人体セキュリティ検査装置は、第１のスパース多重送受信アレイアレンジメント１００と、第２のスパース多重送受信アレイアレンジメント２００とを備える。ただし、第１のスパース多重送受信アレイアレンジメントと第２のスパース多重送受信アレイアレンジメントとは、両者の間に人体セキュリティ検査の検査空間Ｓを区画するように対向して配置される。第１のスパース多重送受信アレイアレンジメント１００と第２のスパース多重送受信アレイアレンジメントは、走査を実施するために、鉛直平面内において上下方向に沿って平行移動できるように配置される。例えば、第１のスパース多重送受信アレイアレンジメント１００はその所在鉛直平面内において上から下に向けて走査し、第２のスパース多重送受信アレイアレンジメント２００はその所在鉛直平面内において下から上に向けて走査する。
【００９０】
なお、１つの第１のスパース多重送受信アレイアレンジメント１００のみでも人体セキュリティ検査を完成することができる。
【００９１】
人体全体の走査を完成した後、完全な散乱界データを取得してデータ処理ユニットに伝送し、ホログラフィーアルゴリズムを利用して再構成し、被検人体の画像を形成する。最後、画像を例えば表示ユニットに伝送してオペレータに表示する。
【００９２】
具体的には、図１３に示すように、第１のフレーム１０１には第１のガイドレール装置１０４が設けられてもよい。第１のスパース多重送受信アレイアレンジメント１００は、前記第１のガイドレール装置１０４にスライド移動可能に接続され、前記第１のガイドレール装置１０４に沿って移動して被検対象（人体）に対して第１の走査を行うことができる。第２のフレーム２０１には第２のガイドレール装置２０４が設けられてもよい。前記第２のスパース多重送受信アレイアレンジメント２００は、前記第２のガイドレール装置２０４にスライド移動可能に接続され、前記第２のガイドレール装置２０４に沿って移動して被検対象（人体）に対して第２の走査を行うことができる。前記第１のガイドレール装置１０４と前記第２のガイドレール装置２０４とは互いに平行となってもよい。
【００９３】
人体セキュリティ検査装置は、前記第１のスパース多重送受信アレイアレンジメント１００が前記第１のガイドレール装置１０４に沿って移動するように駆動し、及び/又は前記第２のスパース多重送受信アレイアレンジメント２００が前記第２のガイドレール装置２０４に沿って移動するように駆動するための駆動装置４００を備えてもよい。人体セキュリティ検査装置は、前記第１のスパース多重送受信アレイアレンジメント１００と前記第２のスパース多重送受信アレイアレンジメント２００とが互いに反対の方向にしか移動できないように、前記第１のスパース多重送受信アレイアレンジメント１００と前記第２のスパース多重送受信アレイアレンジメント２００との運動関係を拘束するための拘束装置をさらに備えてもよい。一実施例において、前記拘束装置は、前記第１のスパース多重送受信アレイアレンジメント１００と前記第２のスパース多重送受信アレイアレンジメント２００とが同じ速度でしか移動できないように、前記第１のスパース多重送受信アレイアレンジメント１００と前記第２のスパース多重送受信アレイアレンジメント２００との位置関係を拘束する。具体的には、前記拘束装置は前記第１のスパース多重送受信アレイアレンジメント１００と前記第２のスパース多重送受信アレイアレンジメント２００とを接続する剛性な接続ワイヤロープ３００である。前記第１のガイドレール装置１０４には第１の定滑車１０３が設けられ、前記第２のガイドレール装置２０４には第２の定滑車２０３が設けられる。前記接続ワイヤロープは前記第１のスパース多重送受信アレイアレンジメント１００から第１の定滑車１０３と第２の定滑車２０３を順次に経過して前記第２のスパース多重送受信アレイアレンジメント２００に接続される。
【００９４】
別の実施例において、図１４に示すように、人体セキュリティ検査装置は第１のフレーム１０１を備え、第１のスパース多重送受信アレイアレンジメント１００は第１のフレーム１０１に配置されて第１のフレーム１０１において上下移動可能である。人体セキュリティ検査装置は第２のフレーム２０１を備え、第２のスパース多重送受信アレイアレンジメント２００は第２のフレーム２０１に配置されて第２のフレーム２０１において上下移動可能である。第１のフレーム１０１には第１のガイドレール装置１０４が設けられてもよい。第１のスパース多重送受信アレイアレンジメント１００は、前記第１のガイドレール装置１０４にスライド移動可能に接続され、前記第１のガイドレール装置１０４に沿って移動して被検対象（人体）に対して第１の走査を行うことができる。第２のフレーム２０１には第２のガイドレール装置２０４が設けられてもよい。前記第２のスパース多重送受信アレイアレンジメント２００は、前記第２のガイドレール装置２０４にスライド移動可能に接続され、前記第２のガイドレール装置２０４に沿って移動して被検対象（人体）に対して第２の走査を行うことができる。駆動装置は、前記第１のスパース多重送受信アレイアレンジメント１００を直接駆動する第１の駆動装置４０１を備え、前記第１のスパース多重送受信アレイアレンジメント１００は第１の駆動装置を介して第１のガイドレール装置１０４に接続される。前記駆動装置は、前記第２のスパース多重送受信アレイアレンジメント２００を直接駆動する第２の駆動装置４０２を備え、前記第２のスパース多重送受信アレイアレンジメント２００は第２の駆動装置を介して第２のガイドレール装置２０４に接続される。このようなアレンジメントによって、第１のスパース多重送受信アレイアレンジメント１００と第２のスパース多重送受信アレイアレンジメント２００は独立して制御されることができる。例えば両者の移動方向が同一又は逆であってもよく、移動速度が同一又は異なってもよい。本実施例において、例えば第１の滑車と第２の滑車及び剛性な接続ワイヤロープ３００である拘束装置を設置しない。
【００９５】
第１のスパース多重送受信アレイアレンジメント１００と第２のスパース多重送受信アレイアレンジメント２００が共に被検対象に対して走査を行う全過程において、前記第１のスパース多重送受信アレイアレンジメント１００と前記第２のスパース多重送受信アレイアレンジメント２００とはミリ波を発信するタイミングが異なる。例えば、走査が開始される時、第１のスパース多重送受信アレイアレンジメント１００は最低周波数から最高周波数までミリ波を送信し、第２のスパース多重送受信アレイアレンジメント２００が最高周波数から最低周波数までミリ波を送信する。或いは、第２のスパース多重送受信アレイアレンジメント２００が最低周波数から最高周波数までミリ波を送信し、第１のスパース多重送受信アレイアレンジメント１００が最高周波数から最低周波数までミリ波を送信する。本実施例において、第１のスパース多重送受信アレイアレンジメント１００と第２のスパース多重送受信アレイアレンジメント２００は独立して走査することができ、両者の走査信号は人体の画像の形成に用いられる。
【００９６】
本開示の実施例による人体セキュリティ検査装置は、駆動装置を制御することで走査を実施するとともに、受信したミリ波信号を処理することで第１のスパース多重送受信アレイアレンジメント１００と第２のスパース多重送受信アレイアレンジメント２００のミリ波エコー信号を処理して人体表面の画像を形成し、さらに外部から入力された指令などを受信するためのプロセッサ又はコントローラをさらに備える。
【００９７】
本開示の人体セキュリティ検査装置を使用して人体、例えば旅客などに対して安全検査を行う時、人体が人体セキュリティ検査装置の中、即ち第１のスパース多重送受信アレイアレンジメント１００と第２のスパース多重送受信アレイアレンジメント２００との間に滞在するだけで、第１のスパース多重送受信アレイアレンジメント１００と第２のスパース多重送受信アレイアレンジメント２００は同時に走査し或いはそれぞれ人体の一側を走査し、走査した信号をプロセッサ又はコントローラに送信し、プロセッサ又はコントローラによって画像処理を行って人体の画像を形成して便利且つ素早い検査を完成するようにする。
【００９８】
図２１〜２３は本開示の別の３つの実施例を示す。それらはそれぞれ図１２〜１４に示す実施例の変形例であってもよい。ただし、第１のスパース多重送受信アレイアレンジメント１００と第２のスパース多重送受信アレイアレンジメント２００は、図１２〜１４おける直線に沿って配置される第１のスパース多重送受信アレイアレンジメント１００と第２のスパース多重送受信アレイアレンジメント２００に代えて、図１１に示す実施例のアレンジメント、即ちなす角を有する複数のセグメントからなる第１のスパース多重送受信アレイアレンジメント１００と第２のスパース多重送受信アレイアレンジメント２００を採用する。図２１〜２３の実施例の他の部分のアレンジメントは図１２〜１４に示す実施例と類似するため、ここでは説明を省略する。
【００９９】
図１５、１７Ａと１７Ｂに示すように、本開示の一実施例は、１行目に沿って配列される送信アンテナと２行目に沿って配列される受信アンテナがそれぞれ第１のアークと第２のアークに沿って配列されるようにする点以外、前述の実施例（例えば図４〜１１に示す）と同様である。換言すると、１行目に沿って配列される送信アンテナと２行目に沿って配列される受信アンテナは１つのアーク面内に平行に設置されるが、送信アンテナと受信アンテナはそれぞれアーク線に沿って配列される。以下、アークに沿って配列される送信アンテナと受信アンテナの実現方法を説明する。
【０１００】
直線に配列されるアレイを半径Ｒの円弧に湾曲し、Ｒの数値範囲が０.５ｍ〜１ｍである。湾曲過程は図１５に示すようである。図１６に示すように、アークに沿って配列されるアレイについて、直線アレイに比べ、結像条件は、アーク線に沿って配列される２つの隣り合う送信アンテナ又は受信アンテナの間隔の最大値に対応するアーク長とコード長ｈの差ｅが０に漸近することが必要である。
【数１１】
2021527832.tif 000013
ただし、θが円弧に対応するフィールドアングルであり、Ｒが円弧半径であり、以下の関係を満たす。
【数１２】
2021527832.tif 000014
θ＜＜１である時、
【数１３】
2021527832.tif 000015
に対してテーラー級数展開をする。
【数１４】
2021527832.tif 000016
ただし、Ｏ（θ）が高次項である。
差分ｅは、
【数１５】
2021527832.tif 000017
で表すことができる。
【０１０１】
前記した図４〜１０で示す全てのアレイ構成もｅ〜０を実現できる。例えば、図６Ａと図７において、１つの送信アンテナが８つの受信アンテナに対応し、隣り合う２つの送信アンテナの間隔が４λであり、λ＝４ｍｍ、半径Ｒ＝５００ｍｍの円弧に湾曲し、このときｅ＝２.２２×１０−５ｍ。図６Ａと図７は送信アンテナと受信アンテナが直線に沿って配列されるよに簡略化して示す。実際、本実施例において、送信アンテナと受信アンテナはアーク線に沿って配列される。本実施例において、図８Ａ〜１１で示すアレンジメントは送信アンテナと受信アンテナがアーク線に沿って配列されるように変形される。これらの送信アンテナと受信アンテナのアレンジメントと操作は前述した実施例と類似する。
【０１０２】
ＴＲ間隔距離ｄｔｒは任意の値であってもよく、送受信アンテナアレイを置くことができ、相互結合を小さくする一方、ｄｔｒ/ｚ０＜１０％が要求され、ｚ０が結像距離である。
【０１０３】
これから分かる通り、巨視的に長さ１ｍのアレイ構成について、アーク状に配置されるアレイ構成と直線に沿って配列されるアレイ構成とは、結像原理が類似する。本開示の他の実施例において、便宜上、送信アンテナと受信アンテナを直線的に配列されるように示すが、これらの送信アンテナと受信アンテナはアーク状に配列されると分かるべきである。又は簡単に言えば、本開示のスパースアレイ送受信装置はまず直線的に配列され、そしてアーク状に湾曲さればよい。
【０１０４】
本開示の一実施例は、１つの又は複数の上記スパース多重送受信アレイアレンジメントを備える人体セキュリティ検査装置をさらに提供している。図１８は人体セキュリティ検査装置を示す模式図である。人体セキュリティ検査装置は、第１のスパース多重送受信アレイアレンジメント１００と、第２のスパース多重送受信アレイアレンジメント２００を備え、第１のスパース多重送受信アレイアレンジメントと第２のスパース多重送受信アレイアレンジメントとは、それぞれアーク面に沿って配置されるとともに、両者の間に人体セキュリティ検査の検査空間Ｓを区画するように対向して設置される。第１のスパース多重送受信アレイアレンジメント１００と第２のスパース多重送受信アレイアレンジメントは、走査を実施するために、鉛直平面内において上下方向に沿って平行移動できるように配置される。例えば、第１のスパース多重送受信アレイアレンジメント１００はその所在鉛直平面内において上から下に向けて走査し、第２のスパース多重送受信アレイアレンジメント２００はその所在鉛直平面内において下から上に向けて走査する。
【０１０５】
なお、アーク状の設計によって、１つの第１のスパース多重送受信アレイアレンジメント１００のみでも人体セキュリティ検査を完成することができる。
【０１０６】
人体全体の走査を完成した後、完全な散乱界データを取得してデータ処理ユニットに伝送し、ホログラフィーアルゴリズムを利用して再構成し、被検人体の画像を形成する。最後、画像を例えば表示ユニットに伝送してオペレータに表示する。
【０１０７】
別の実施例において、図１９に示すように、人体セキュリティ検査装置は第１のフレーム１０１を備え、アーク面に沿って配置される第１のスパース多重送受信アレイアレンジメント１００は第１のフレーム１０１に配置されて第１のフレーム１０１において上下移動可能である。人体セキュリティ検査装置は第２のフレーム２０１を備え、アーク面に沿って配置される第２のスパース多重送受信アレイアレンジメント２００は第２のフレーム２０１に配置されて第２のフレーム２０１において上下移動可能である。
【０１０８】
別の実施例において、図１９に示すように、第１のフレーム１０１には第１のガイドレール装置１０４が設けられてもよい。アーク面に沿って配置される第１のスパース多重送受信アレイアレンジメント１００は、前記第１のガイドレール装置１０４にスライド移動可能に接続され、前記第１のガイドレール装置１０４に沿って移動して被検対象（人体）に対して第１の走査を行うことができる。第２のフレーム２０１には第２のガイドレール装置２０４が設けられてもよい。アーク面に沿って配置される前記第２のスパース多重送受信アレイアレンジメント２００は、前記第２のガイドレール装置２０４にスライド移動可能に接続され、前記第２のガイドレール装置２０４に沿って移動して被検対象（人体）に対して第２の走査を行うことができる。前記第１のガイドレール装置１０４と前記第２のガイドレール装置２０４とは互いに平行となってもよい。
【０１０９】
人体セキュリティ検査装置は、前記第１のスパース多重送受信アレイアレンジメント１００が前記第１のガイドレール装置１０４に沿って移動するように駆動し、及び/又は前記第２のスパース多重送受信アレイアレンジメント２００が前記第２のガイドレール装置２０４に沿って移動するように駆動するための駆動装置４００を備えてもよい。人体セキュリティ検査装置は、前記第１のスパース多重送受信アレイアレンジメント１００と前記第２のスパース多重送受信アレイアレンジメント２００とが互いに反対の方向にしか移動できないように、前記第１のスパース多重送受信アレイアレンジメント１００と前記第２のスパース多重送受信アレイアレンジメント２００との運動関係を拘束するための拘束装置をさらに備えてもよい。一実施例において、前記拘束装置は、前記第１のスパース多重送受信アレイアレンジメント１００と前記第２のスパース多重送受信アレイアレンジメント２００とが同じ速度でしか移動できないように、前記第１のスパース多重送受信アレイアレンジメント１００と前記第２のスパース多重送受信アレイアレンジメント２００との位置関係を拘束する。具体的には、前記拘束装置は前記第１のスパース多重送受信アレイアレンジメント１００と前記第２のスパース多重送受信アレイアレンジメント２００を接続する剛性な接続ワイヤロープ３００である。前記第１のガイドレール装置１０４には第１の定滑車１０３が設けられ、前記第２のガイドレール装置２０４には第２の定滑車２０３が設けられる。前記接続ワイヤロープは前記第１のスパース多重送受信アレイアレンジメント１００から第１の定滑車１０３と第２の定滑車２０３を順次に経過して前記第２のスパース多重送受信アレイアレンジメント２００に接続される。
【０１１０】
別の実施例において、図２０に示すように、人体セキュリティ検査装置は第１のフレーム１０１を備え、アーク面に沿って配置される第１のスパース多重送受信アレイアレンジメント１００は第１のフレーム１０１に配置されて第１のフレーム１０１において上下移動可能である。人体セキュリティ検査装置は第２のフレーム２０１を備え、アーク面に沿って配置される第２のスパース多重送受信アレイアレンジメント２００は第２のフレーム２０１に配置されて第２のフレーム２０１において上下移動可能である。第１のフレーム１０１には第１のガイドレール装置１０４が設けられてもよい。第１のスパース多重送受信アレイアレンジメント１００は、前記第１のガイドレール装置１０４にスライド移動可能に接続され、前記第１のガイドレール装置１０４に沿って移動して被検対象（人体）に対して第１の走査を行うことができる。第２のフレーム２０１には第２のガイドレール装置２０４が設けられてもよい。前記第２のスパース多重送受信アレイアレンジメント２００は、前記第２のガイドレール装置２０４にスライド移動可能に接続され、前記第２のガイドレール装置２０４に沿って移動して被検対象（人体）に対して第２の走査を行うことができる。駆動装置は、前記第１のスパース多重送受信アレイアレンジメント１００を直接駆動する第１の駆動装置４０１を備え、前記第１のスパース多重送受信アレイアレンジメント１００は第１の駆動装置４０１によって第１のガイドレール装置１０４に接続される。前記駆動装置は、前記第２のスパース多重送受信アレイアレンジメント２００を直接駆動する第２の駆動装置４０２を備え、前記第２のスパース多重送受信アレイアレンジメント２００は第２の駆動装置を介して第２のガイドレール装置２０４に接続される。このようなアレンジメントによって、第１のスパース多重送受信アレイアレンジメント１００と第２のスパース多重送受信アレイアレンジメント２００は独立して制御されることができる。例えば両者の移動方向が同一又は逆であってもよく、移動速度が同一又は異なってもよい。本実施例において、例えば第１の滑車と第２の滑車及び剛性な接続ワイヤロープ３００である拘束装置を設置しない。
【０１１１】
第１のスパース多重送受信アレイアレンジメント１００と第２のスパース多重送受信アレイアレンジメント２００が共に被検対象に対して走査を行う全過程において、前記第１のスパース多重送受信アレイアレンジメント１００と前記第２のスパース多重送受信アレイアレンジメント２００とはミリ波を発信するタイミングが異なる。例えば、走査が開始される時、第１のスパース多重送受信アレイアレンジメント１００は最低周波数から最高周波数までミリ波を送信し、第２のスパース多重送受信アレイアレンジメント２００は最高周波数から最低周波数までミリ波を送信する。或いは、第２のスパース多重送受信アレイアレンジメント２００が最低周波数から最高周波数までミリ波を送信し、第１のスパース多重送受信アレイアレンジメント１００が最高周波数から最低周波数までミリ波を送信する。本実施例において、第１のスパース多重送受信アレイアレンジメント１００と第２のスパース多重送受信アレイアレンジメント２００は独立して走査することができる。両者の走査信号は人体の画像の形成に用いられる。
【０１１２】
本開示の実施例による人体セキュリティ検査装置は、駆動装置を制御することで走査を実施するとともに、受信したミリ波信号を処理することで第１のスパース多重送受信アレイアレンジメント１００と第２のスパース多重送受信アレイアレンジメント２００のミリ波エコー信号を処理して人体表面の画像を形成し、さらに外部から入力された指令などを受信するためのプロセッサ又はコントローラをさらに備える。
【０１１３】
本開示の人体セキュリティ検査装置を使用して人体、例えば旅客などに対して安全検査を行う時、人体が人体セキュリティ検査装置の中、即ち第１のスパース多重送受信アレイアレンジメント１００と第２のスパース多重送受信アレイアレンジメント２００との間に滞在するだけで、第１のスパース多重送受信アレイアレンジメント１００と第２のスパース多重送受信アレイアレンジメント２００は同時に走査し或いはそれぞれ人体の一側を走査し、走査した信号をプロセッサ又はコントローラに送信し、プロセッサ又はコントローラによって画像処理を行って人体の画像を形成して便利且つ素早い検査を完成するようにする。
【０１１４】
本開示の一実施例は、上記したスパース多重送受信アレイアレンジメントを使用して人体を検出する方法をさらに提供している。
【０１１５】
本開示全体が案出したいくつかの実施例は既に表示及び説明されたが、本開示全体の発想及び原則を逸脱しない場合、これらの実施例を変更してもよく、本開示の範囲は請求項及びそれらと同等のものに限定されると当業者に理解されるべきである。
【符号の説明】
【０１１６】
１００  スパース多重送受信アレイアレンジメント
１０１  フレーム
１０３  定滑車
１０４  ガイドレール装置
２００  スパース多重送受信アレイアレンジメント
２０１  フレーム
２０３  定滑車
２０４  ガイドレール装置
３００  接続ワイヤロープ
４００  駆動装置
４０１  第１の駆動装置
４０２  第２の駆動装置
【図１】
2021527832.tif 000027
【図２】
2021527832.tif 000028
【図３】
2021527832.tif 000029
【図４】
2021527832.tif 000030
【図５】
2021527832.tif 000031
【図６Ａ】
2021527832.tif 000032
【図６Ｂ】
2021527832.tif 000033
【図７Ａ】
2021527832.tif 000034
【図７Ｂ】
2021527832.tif 000035
【図８Ａ】
2021527832.tif 000036
【図８Ｂ】
2021527832.tif 000037
【図９Ａ】
2021527832.tif 000038
【図９Ｂ】
2021527832.tif 000039
【図１０】
2021527832.tif 000040
【図１１】
2021527832.tif 000041
【図１２】
2021527832.tif 000042
【図１３】
2021527832.tif 000043
【図１４】
2021527832.tif 000044
【図１５】
2021527832.tif 000045
【図１６】
2021527832.tif 000046
【図１７Ａ】
2021527832.tif 000047
【図１７Ｂ】
2021527832.tif 000048
【図１８】
2021527832.tif 000049
【図１９】
2021527832.tif 000050
【図２０】
2021527832.tif 000051
【図２１】
2021527832.tif 000052
【図２２】
2021527832.tif 000053
【図２３】
2021527832.tif 000054
【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
ミリ波を送信するための一群の送信アンテナと、前記一群の送信アンテナに送信され人体に反射されるミリ波を受信するための一群の受信アンテナとを備えるアクティブミリ波セキュリティ検査結像に用いられるスパース多重送受信アレイアレンジメントであって、
前記一群の送信アンテナは１行目に沿って配列される複数の送信アンテナを含み、前記一群の受信アンテナは２行目に沿って配列される複数の受信アンテナを含み、前記一群の送信アンテナの１行目の複数の送信アンテナは、前記一群の受信アンテナの２行目の複数の受信アンテナに平行して配列され、１行目の送信アンテナと２行目の受信アンテナとは間隔を空けて同一の平面に位置し、
送信アンテナの数が受信アンテナの数よりも少なくなるように、２行目における、１行目に沿って配列される２つの隣り合う送信アンテナの間の間隔長さと同じ長さ範囲において、少なくとも１つの受信アンテナが配置される、
スパース多重送受信アレイアレンジメント。
【請求項２】
少なくとも１つの送信アンテナが少なくとも１つの受信アンテナに整列することにより両者の間の接続線が前記一群の送信アンテナ又は前記一群の受信アンテナの行の方向に垂直であるようにし、或いは、
いずれか１つの送信アンテナといずれか１つの受信アンテナとの接続線が前記一群の送信アンテナ又は前記一群の受信アンテナの行の方向に垂直ではない、
請求項１に記載のスパース多重送受信アレイアレンジメント。
【請求項３】
前記一群の送信アンテナのうちの１つの送信アンテナと、前記一群の受信アンテナのうちの最も近い対応の複数の受信アンテナのうちの１つとの接続線の中点は、当該一対の送信アンテナ−受信アンテナの仮想の等価位相中心とみなされ、
隣り合う等価位相中心の間の距離はミリ波の波長の０．３〜０．７倍であり、好ましくは０．５倍である、
請求項１に記載のスパース多重送受信アレイアレンジメント。
【請求項４】
前記一群の送信アンテナが順次にミリ波を送信するように制御するための制御スイッチをさらに備える、
請求項１〜３の何れか一項に記載のスパース多重送受信アレイアレンジメント。
【請求項５】
前記一群の送信アンテナの１行目に配列される複数の送信アンテナは順次にミリ波を送信して一群の送信アンテナの一次元走査を完成できるとともに、前記一群の送信アンテナの行の方向に直交する方向に沿って変位して人体の二次元走査を完成でき、さらにフーリエ変換に基づく合成開口ホログラフィアルゴリズムによって結像を完成できるように配置され、あるいは、
前記複数の送信アンテナの間の間隔距離はミリ波の波長の１倍よりも大きく、前記複数の受信アンテナはミリ波の波長の１倍よりも大きい距離で間隔を空け、前記複数の送信アンテナの総数と前記複数の受信アンテナの総数とは異なり、かつ互いに素であり、あるいは、
隣り合う送信アンテナとそれぞれの対応する受信アンテナとによって特定される複数の等価位相中心は重ならず、送信アンテナ−受信アンテナ対の複数の等価位相中心が順次に一列に配列され、或いは、複数対の隣り合う送信アンテナ−受信アンテナ対の複数の等価位相中心の少なくとも一部が一列に交互に配列される、
請求項３に記載のスパース多重送受信アレイアレンジメント。
【請求項６】
フーリエ変換に基づく合成開口ホログラフィアルゴリズムによって正確な結像領域に対して画像再構成を一回で完成するように配置され、結像公式は、
【数１】
2021527832.tif 000055
であり、
ただし、
σ（ｘ，ｙ）は人体の散乱係数であり、Ｒ０は結像距離であり、ＦＴ２Ｄは二次元フーリエ変換であり、
【数２】
2021527832.tif 000056
は二次元逆フーリエ変換であり、ｊは虚数単位であり、ｋは伝搬定数であり、ｋｘ、ｋｙはそれぞれ空間伝搬定数であり、
【数３】
2021527832.tif 000057
は一対の送信アンテナ−受信アンテナのセットが受信した人体のエコー信号であり、Ｋωは周波数ステッピング信号の空間周波数であり、ターゲット領域内の１つのポイントターゲットについて、ＩはＩ（ｘｎ，ｙｎ）に位置する散乱されるポイントターゲットを表し、Ｉと送信アンテナＡｔとの距離をＲｔ，ｎと定義し、Ｉと受信アンテナＡｒとの距離をＲｒ，ｎと定義する、
請求項５に記載のスパース多重送受信アレイアレンジメント。
【請求項７】
１行目に沿って配列される２つの隣り合う送信アンテナの間の間隔距離がミリ波の波長の１倍以上であり、２行目に沿って配列される２つの隣り合う受信アンテナの間の間隔距離がミリ波の波長の１倍以上であることにより、対をなすように配置される送信アンテナと受信アンテナのセットの間にミリ波の波長の１倍の距離で間隔を空ける場合に比べ、送信アンテナと受信アンテナの総数は減少し、
前記スパース多重送受信アレイアレンジメントは、隣り合う２つのセグメントの間になす角を形成する複数のセグメントを備え、
前記一群の送信アンテナと前記一群の受信アンテナのそれぞれは、前記複数のセグメントにそれぞれ配置される部分を含む、
請求項１に記載のスパース多重送受信アレイアレンジメント。
【請求項８】
第１の鉛直平面内に配置される第１のセグメントと、第２の鉛直平面内に配置される第２のセグメントと、を備え、
第１の鉛直平面と第２の鉛直平面とのなす角θ１２が０ではなく、
前記一群の送信アンテナと前記一群の受信アンテナのそれぞれは、第１のセグメントに配置される部分と、第２のセグメントに配置される部分と、を含む、
請求項７に記載のスパース多重送受信アレイアレンジメント。
【請求項９】
第３の鉛直平面内に配置される第３のセグメントをさらに備え、
前記第３の鉛直平面と第１の鉛直平面、第２の鉛直平面とのなす角がそれぞれθ１３とθ２３であるとともに０ではなく、
前記一群の送信アンテナと前記一群の受信アンテナのそれぞれは第３のセグメントに配置される部分を含む、
請求項８に記載のスパース多重送受信アレイアレンジメント。
【請求項１０】
ミリ波を送信するための平行に配列される複数行の送信アンテナと、人体に反射されるミリ波を受信するための平行に配列される複数行の受信アンテナとを備えるアクティブミリ波セキュリティ検査結像に用いられるスパース多重送受信アレイアレンジメントであって、
各行の送信アンテナは複数の送信アンテナを含み、
各行の受信アンテナは複数の受信アンテナを含み、
前記複数行の送信アンテナと前記複数行の受信アンテナとは平行であり、
前記複数行の送信アンテナと前記複数行の受信アンテナとは互いに間隔を空け、
複数行の送信アンテナのうちの１行の送信アンテナと複数行の受信アンテナのうちの１行の受信アンテナとは請求項１又は１２に記載のスパース多重送受信アレイアレンジメントを構成する、
請求項１〜９のいずれかに記載のスパース多重送受信アレイアレンジメント。
【請求項１１】
前記一群の送信アンテナのうちの１行目に沿って配列される複数の送信アンテナは、アーク状面内に配置されて第１のアークに沿って配列され、
前記一群の受信アンテナのうちの２行目に沿って配列される複数の受信アンテナは、アーク状面内配置されて第２のアークに沿って配列され、
前記一群の送信アンテナのうちの第１のアークに沿って配列される複数の送信アンテナは前記一群の受信アンテナのうちの第２のアークに沿って配列される複数の受信アンテナに平行して配列され、
第１のアークに沿って配列される前記一群の送信アンテナと第２のアークに沿って配列される前記一群の受信アンテナとは間隔を空けて同一の平面に位置し、
第２のアークにおける第１のアークに沿って配列される２つの隣り合う送信アンテナの間の間隔のアーク長に対応する同じアーク長範囲において、少なくとも１つの受信アンテナが配置される、
請求項１に記載のスパース多重送受信アレイアレンジメント。
【請求項１２】
アーク面内に配置されてミリ波を送信するための平行に配列されかつアーク線に沿って配列される複数行の送信アンテナと、人体に反射されるミリ波を受信するための平行に配列されかつアーク線に沿って配列される複数行の受信アンテナとを備え、
前記アーク線に沿って配列される複数行の送信アンテナは前記アーク線に沿って配列される複数行の受信アンテナに平行であり、
前記アーク線に沿って配列される複数行の送信アンテナと前記アーク線に沿って配列される複数行の受信アンテナとは互いに間隔を空け、
アーク線に沿って配列される複数行の送信アンテナのうちの１行の送信アンテナとアーク線に沿って配列される複数行の受信アンテナのうちの１行の受信アンテナとは、請求項１１に記載のスパース多重送受信アレイアレンジメントを構成する、
請求項１１に記載のスパース多重送受信アレイアレンジメント。
【請求項１３】
請求項１〜１２の何れか一項に記載のスパース多重送受信アレイアレンジメントを一つ又は複数備え、
第１のスパース多重送受信アレイアレンジメントと、第２のスパース多重送受信アレイアレンジメントとを含み、
第１のスパース多重送受信アレイアレンジメントと第２のスパース多重送受信アレイアレンジメントとは、両者の間に人体セキュリティ検査を実施するための検査空間を区画するように対向して配置され、
第１のスパース多重送受信アレイアレンジメントと第２のスパース多重送受信アレイアレンジメントは、走査を実施するために、鉛直平面内において上下方向に沿って平行移動できるように配置される、
人体セキュリティ検査装置。
【請求項１４】
第１のスパース多重送受信アレイアレンジメントが上下移動可能に配置される第１のフレームと、第２のスパース多重送受信アレイアレンジメントが上下移動可能に配置される第２のフレームとをさらに備え、
第１のフレームには第１のガイドレール装置が設けられ、
第１のスパース多重送受信アレイアレンジメントは、前記第１のガイドレール装置にスライド移動可能に接続され、前記第１のガイドレール装置に沿って移動して人体に対して第１の走査を行うことが可能となり、
第２のフレームには第２のガイドレール装置が設けられ、
前記第２のスパース多重送受信アレイアレンジメントは、前記第２のガイドレール装置にスライド移動可能に接続され、前記第２のガイドレール装置に沿って移動して人体に対して第２の走査を行うことが可能となる、
請求項１３に記載の人体セキュリティ検査装置。
【請求項１５】
前記第１のスパース多重送受信アレイアレンジメントを直接駆動する第１の駆動装置と、
前記第２のスパース多重送受信アレイアレンジメントを直接駆動する第２の駆動装置と、
前記第１のスパース多重送受信アレイアレンジメントと前記第２のスパース多重送受信アレイアレンジメントとが互いに反対の方向にしか移動できないように、前記第１のスパース多重送受信アレイアレンジメントと前記第２のスパース多重送受信アレイアレンジメントとの運動関係を拘束するための拘束装置と、を含み、
前記拘束装置は前記第１のスパース多重送受信アレイアレンジメントと前記第２のスパース多重送受信アレイアレンジメントとを接続する剛性な接続ワイヤロープであり、
前記第１のガイドレール装置には第１の定滑車が設けられ、前記第２のガイドレール装置には第２の定滑車が設けられ、前記接続ワイヤロープは前記第１のスパース多重送受信アレイアレンジメントから第１の定滑車と第２の定滑車を順次に経過して前記第２のスパース多重送受信アレイアレンジメントに接続される、請求項１４に記載の人体セキュリティ検査装置。
【国際調査報告】
2021527832.tif 000058
2021527832.tif 000059
2021527832.tif 000060
2021527832.tif 000061
2021527832.tif 000062
2021527832.tif 000063